(57)【特許請求の範囲】
【請求項１】
ローカル信号を生成するローカル信号生成部と、
送信波の送信Ｉ相信号と送信Ｑ相信号を生成して、前記送信Ｉ相信号を第１の経路に出力し、前記送信Ｑ相信号を第２の経路に出力する送信ベースバンド部と、
前記ローカル信号を用いて、前記第１の経路を通過した送信Ｉ相信号及び前記第２の経路を通過した送信Ｑ相信号を直交変調し、直交変調後の送信Ｉ相信号と直交変調後の送信Ｑ相信号とから高周波信号を生成する直交変調器と、
前記ローカル信号を用いて、前記高周波信号を直交復調して受信Ｉ相信号及び受信Ｑ相信号を生成して、前記受信Ｉ相信号を第３の経路に出力し、前記受信Ｑ相信号を第４の経路に出力する直交復調器と、
前記第３の経路を通過した受信Ｉ相信号及び前記第４の経路を通過した受信Ｑ相信号を計測する受信ベースバンド部と、
前記送信ベースバンド部から前記第１及び第２の経路に出力される送信Ｉ相信号と送信Ｑ相信号を入れ替える第１の信号入替器と、
前記第１の信号入替器による信号入替前及び信号入替後の前記受信ベースバンド部の計測結果に基づいて、前記送信ベースバンド部における送信Ｉ相信号及び送信Ｑ相信号の生成を制御する制御部と
を備えた送受信機。
【請求項２】
前記制御部は、前記第１の信号入替器による信号入替前及び信号入替後の前記受信ベースバンド部の計測結果に基づいて、前記直交変調器による直交変調後の送信Ｉ相信号の振幅の周波数特性及び通過位相の周波数特性と、前記直交変調器による直交変調後の送信Ｑ相信号の振幅の周波数特性及び通過位相の周波数特性とが合うように、前記送信ベースバンド部により生成される送信Ｉ相信号の振幅及び位相と、前記送信ベースバンド部により生成される送信Ｑ相信号の振幅及び位相とを制御することを特徴とする請求項１記載の送受信機。
【請求項３】
前記第３及び第４の経路から前記受信ベースバンド部に出力される受信Ｉ相信号と受信Ｑ相信号を入れ替える第２の信号入替器を備え、
前記受信ベースバンド部は、前記第２の信号入替器により受信Ｉ相信号と受信Ｑ相信号が入れ替えられると、前記第４の経路を通過した受信Ｉ相信号を計測し、前記第３の経路を通過した受信Ｑ相信号を計測し、
前記制御部は、前記第２の信号入替器による信号入替前及び信号入替後の前記受信ベースバンド部の計測結果に基づいて、前記送信ベースバンド部における送信Ｉ相信号及び送信Ｑ相信号の生成を制御することを特徴とする請求項１記載の送受信機。
【請求項４】
前記制御部は、前記第２の信号入替器による信号入替前及び信号入替後の前記受信ベースバンド部の計測結果に基づいて、前記第３の経路を通過した受信Ｉ相信号の振幅の周波数特性及び通過位相の周波数特性と、前記第４の経路を通過した受信Ｑ相信号の振幅の周波数特性及び通過位相の周波数特性とが合うように、前記送信ベースバンド部により生成される送信Ｉ相信号の振幅及び位相と、前記送信ベースバンド部により生成される送信Ｑ相信号の振幅及び位相とを制御することを特徴とする請求項３記載の送受信機。
【請求項５】
前記受信ベースバンド部の計測結果から、前記ローカル信号生成部から前記直交変調器に与えられるローカル信号と、前記ローカル信号生成部から前記直交復調器に与えられるローカル信号との位相差に対応する移相量を特定し、前記移相量に従って前記直交変調器に与えられるローカル信号の位相、あるいは、前記直交復調器に与えられるローカル信号の位相を補正する位相補正部を備えたことを特徴とする請求項１記載の送受信機。
【請求項６】
前記送信ベースバンド部及び前記直交変調器の組が複数実装されており、
前記複数の直交変調器により生成された高周波信号の中から、いずれかの高周波信号を選択し、前記選択した高周波信号を前記直交復調器に出力する信号選択部を備え、
前記制御部は、前記第１の信号入替器による信号入替前及び信号入替後の前記受信ベースバンド部の計測結果に基づいて、前記信号選択部により選択された高周波信号の生成元の送信Ｉ相信号及び送信Ｑ相信号を生成している送信ベースバンド部における送信Ｉ相信号及び送信Ｑ相信号の生成を制御することを特徴とする請求項１記載の送受信機。
【請求項７】
前記送信ベースバンド部は、前記第１の信号入替器を含んでおり、
前記送信ベースバンド部は、
送信波の送信Ｉ相信号を生成する送信Ｉ相信号生成部と、
前記送信波の送信Ｑ相信号を生成する送信Ｑ相信号生成部と、
前記送信Ｉ相信号生成部により生成された送信Ｉ相信号又は前記送信Ｑ相信号生成部により生成された送信Ｑ相信号をデジタル信号からアナログ信号に変換して、当該アナログ信号を前記第１の経路に出力する第１のデジタルアナログ変換部と、
前記送信Ｑ相信号生成部により生成された送信Ｑ相信号又は前記送信Ｉ相信号生成部により生成された送信Ｉ相信号をデジタル信号からアナログ信号に変換して、当該アナログ信号を前記第２の経路に出力する第２のデジタルアナログ変換部とを備え、
前記第１の信号入替器は、
前記送信Ｉ相信号生成部により生成された送信Ｉ相信号を前記第１のデジタルアナログ変換部又は前記第２のデジタルアナログ変換部に出力する第１の経路切替部と、
前記送信Ｑ相信号生成部により生成された送信Ｑ相信号を前記第２のデジタルアナログ変換部又は前記第１のデジタルアナログ変換部に出力する第２の経路切替部とを備えていることを特徴とする請求項１記載の送受信機。
【請求項８】
前記直交変調器は、
前記ローカル信号生成部により生成されたローカル信号から、互いの位相が９０度ずれている第１の送信ローカル信号と第２の送信ローカル信号とを生成する第１の位相差生成部と、
前記第１の送信ローカル信号を用いて、前記第１の経路を通過した送信Ｉ相信号の周波数を変換する第１の周波数変換器と、
前記第２の送信ローカル信号を用いて、前記第２の経路を通過した送信Ｑ相信号の周波数を変換する第２の周波数変換器と、
前記第１の周波数変換器により周波数が変換された送信Ｉ相信号と前記第２の周波数変換器により周波数が変換された送信Ｑ相信号とを合成することで高周波信号を生成する信号合成部とを備えていることを特徴とする請求項１記載の送受信機。
【請求項９】
前記直交復調器は、
前記ローカル信号生成部により生成されたローカル信号から、互いの位相が９０度ずれている第１の受信ローカル信号と第２の受信ローカル信号とを生成する第２の位相差生成部と、
前記直交変調器により生成された高周波信号を分岐する信号分岐部と、
前記第１の受信ローカル信号を用いて、前記信号分岐部により分岐された一方の高周波信号から受信Ｉ相信号を直交復調し、直交復調した受信Ｉ相信号を前記第３の経路に出力する第３の周波数変換器と、
前記第２の受信ローカル信号を用いて、前記信号分岐部により分岐された他方の高周波信号から受信Ｑ相信号を直交復調し、直交復調した受信Ｑ相信号を前記第４の経路に出力する第４の周波数変換器とを備えていることを特徴とする請求項１記載の送受信機。
【請求項１０】
前記直交復調器は、
前記ローカル信号生成部により生成されたローカル信号から、互いの位相が９０度ずれている第１の受信ローカル信号と第２の受信ローカル信号とを生成する第２の位相差生成部と、
前記直交変調器により生成された高周波信号を分岐する信号分岐部と、
前記第１の受信ローカル信号を用いて、前記信号分岐部により分岐された一方の高周波信号から受信Ｉ相信号又は受信Ｑ相信号を直交復調し、直交復調した受信Ｉ相信号又は直交復調した受信Ｑ相信号を前記第３の経路に出力する第３の周波数変換器と、
前記第２の受信ローカル信号を用いて、前記信号分岐部により分岐された他方の高周波信号から受信Ｑ相信号又は受信Ｉ相信号を直交復調し、直交復調した受信Ｑ相信号又は直交復調した受信Ｉ相信号を前記第４の経路に出力する第４の周波数変換器とを備えていることを特徴とする請求項３記載の送受信機。
【請求項１１】
前記受信ベースバンド部は、前記第２の信号入替器を含んでおり、
前記受信ベースバンド部は、
前記第３の経路を通過した受信Ｉ相信号又は受信Ｑ相信号をアナログ信号からデジタル信号に変換する第１のアナログデジタル変換部と、
前記第４の経路を通過した受信Ｑ相信号又は受信Ｉ相信号をアナログ信号からデジタル信号に変換する第２のアナログデジタル変換部と、
前記第１のアナログデジタル変換部によりデジタル信号に変換された受信Ｉ相信号又は前記第２のアナログデジタル変換部によりデジタル信号に変換された受信Ｉ相信号を計測する第１の信号計測部と、
前記第２のアナログデジタル変換部によりデジタル信号に変換された受信Ｑ相信号又は前記第１のアナログデジタル変換部によりデジタル信号に変換された受信Ｑ相信号を計測する第２の信号計測部とを備え、
前記第２の信号入替器は、
前記第１のアナログデジタル変換部により変換された受信Ｉ相信号又は前記第２のアナログデジタル変換部により変換された受信Ｉ相信号を前記第１の信号計測部に出力する第３の経路切替部と、
前記第２のアナログデジタル変換部により変換された受信Ｑ相信号又は前記第１のアナログデジタル変換部により変換された受信Ｑ相信号を前記第２の信号計測部に出力する第４の経路切替部とを備えていることを特徴とする請求項３記載の送受信機。
【請求項１２】
前記第１の位相差生成部は、
前記ローカル信号生成部により生成されたローカル信号の位相と同位相の第１信号と、前記ローカル信号の位相よりも位相が９０度進んでいる第２信号と、前記ローカル信号の位相よりも位相が１８０度進んでいる第３信号と、前記ローカル信号の位相よりも位相が２７０度進んでいる第４信号とを生成する４相信号生成回路と、
前記４相信号生成回路により生成された第２信号又は第４信号、あるいは、前記４相信号生成回路により生成された第１信号又は第３信号を前記第１の送信ローカル信号として前記第１の周波数変換器に出力する第１の信号出力回路と、
前記第１の信号出力回路から前記第１の送信ローカル信号として前記第２信号又は前記第４信号が出力される場合、前記第１信号又は前記第３信号を前記第２の送信ローカル信号として前記第２の周波数変換器に出力し、前記第１の信号出力回路から前記第１の送信ローカル信号として前記第１信号又は前記第３信号が出力される場合、前記第２信号又は前記第４信号を前記第２の送信ローカル信号として前記第２の周波数変換器に出力する第２の信号出力回路とを備えていることを特徴とする請求項８記載の送受信機。
【請求項１３】
前記第２の位相差生成部は、
前記ローカル信号生成部により生成されたローカル信号の位相と同位相の第１信号と、前記ローカル信号の位相よりも位相が９０度進んでいる第２信号と、前記ローカル信号の位相よりも位相が１８０度進んでいる第３信号と、前記ローカル信号の位相よりも位相が２７０度進んでいる第４信号とを生成する４相信号生成回路と、
前記４相信号生成回路により生成された第２信号又は第４信号、あるいは、前記４相信号生成回路により生成された第１信号又は第３信号を前記第１の受信ローカル信号として前記第３の周波数変換器に出力する第３の信号出力回路と、
前記第３の信号出力回路から前記第１の受信ローカル信号として前記第２信号又は前記第４信号が出力される場合、前記第１信号又は前記第３信号を前記第２の受信ローカル信号として前記第４の周波数変換器に出力し、前記第３の信号出力回路から前記第１の受信ローカル信号として前記第１信号又は前記第３信号が出力される場合、前記第２信号又は前記第４信号を前記第２の受信ローカル信号として前記第４の周波数変換器に出力する第４の信号出力回路とを備えていることを特徴とする請求項９記載の送受信機。
【発明の詳細な説明】
【技術分野】
【０００１】
この発明は、高周波信号を送受信する送受信機に関するものである。
【背景技術】
【０００２】
以下の非特許文献１には、高周波信号を送受信する送受信機が開示されている。
この送受信機は、送信ベースバンド部、直交変調器、直交復調器及び受信ベースバンド部を備えている。
直交変調器は、送信ローカル信号生成部を備え、直交復調器は、受信ローカル信号生成部を備えている。
送信ローカル信号生成部は、キャリア周波数と同一周波数の送信ローカル信号を生成する。
受信ローカル信号生成部は、送信ローカル信号と異なる周波数の受信ローカル信号を生成する。【０００３】
直交変調器は、ａ端子から送信ローカル信号生成部により生成された送信ローカル信号と同一周波数の第１の送信ローカル信号を出力し、ｂ端子から第１の送信ローカル信号よりも９０度位相が進んでいる第２の送信ローカル信号を出力する９０度位相差生成部を備えている。
直交変調器は、９０度位相差生成部により生成された第１の送信ローカル信号を用いて、送信ベースバンド部から出力された送信ベースバンド信号の送信Ｉ相信号（以下、「ＴＸＩ信号」と称する）の周波数を変換する。
また、直交変調器は、９０度位相差生成部により生成された第２の送信ローカル信号を用いて、送信ベースバンド信号の送信Ｑ相信号（以下、「ＴＸＱ信号」と称する）の周波数を変換する。
そして、直交変調器は、周波数変換後の送信Ｉ相信号と、周波数変換後の送信Ｑ相信号とを合成し、その合成信号である高周波信号（以下、「ＴＸＯ信号」と称する）を出力する。【０００４】
ただし、送信ベースバンド部から直交変調器にＴＸＩ信号が伝送される経路の周波数特性と、送信ベースバンド部から直交変調器にＴＸＱ信号が伝送される経路の周波数特性との間に差分がある場合、ＴＸＯ信号にイメージ成分が発生して、ＴＸＯ信号の通信特性に劣化が生じることがある。経路の周波数特性は、経路における通過損失、経路における通過位相などが該当する。
非特許文献１に開示されている送受信機は、ＴＸＩ信号が伝送される経路の周波数特性と、ＴＸＱ信号が伝送される経路の周波数特性との間の差分を補正する機能を備えている。
非特許文献１に開示されている送受信機は、以下のようにして、ＴＸＩ信号が伝送される経路の周波数特性と、ＴＸＱ信号が伝送される経路の周波数特性との間の差分を補正する。【０００５】
送受信機の直交復調器は、ａ端子から受信ローカル信号生成部により生成された受信ローカル信号と同一周波数の第１の受信ローカル信号を出力し、ｂ端子から第１の受信ローカル信号よりも９０度位相が進んでいる第２の受信ローカル信号を出力する９０度位相差生成部を備えている。
直交復調器は、９０度位相差生成部により生成された第１の受信ローカル信号を用いて、直交変調器から出力されたＴＸＯ信号を周波数変換し、周波数変換後のＴＸＯ信号を受信Ｉ相信号（以下、「ＲＸＩ信号」と称する）として出力する。
また、直交復調器は、９０度位相差生成部により生成された第２の受信ローカル信号を用いて、直交変調器から出力されたＴＸＯ信号を周波数変換し、周波数変換後のＴＸＯ信号を受信Ｑ相信号（以下、「ＲＸＱ信号」と称する）として出力する。【０００６】
送受信機の受信ベースバンド部は、直交復調器から出力されたＲＸＩ信号及びＲＸＱ信号を計測する。
送受信機の送信ベースバンド部は、受信ベースバンド部により計測されたＲＸＩ信号及びＲＸＱ信号から、ＴＸＩ信号が伝送される経路の周波数特性と、ＴＸＱ信号が伝送される経路の周波数特性との間の差分を算出する。
送信ベースバンド部は、送信ローカル信号生成部により生成される送信ローカル信号に対して、受信ローカル信号生成部により生成される受信ローカル信号の周波数がオフセットされているため、２つの経路の周波数特性との間の差分を算出することが可能である。
送信ベースバンド部は、２つの経路の周波数特性間の差分の算出結果に基づいて、経路の周波数特性間の差分を補正する。
【先行技術文献】
【非特許文献】
【０００７】
【非特許文献１】Chris Mayer, David McLaurin, Jason Fan, Steve Bal, Chris Angell, Oliver Gysel,Martin McCormick, Manish Manglani, Rich Schubert, Brian Reggiannini, John Kornblum, Lu Wu,Lex Leonard, Shipra Bhal, Alex Kagan, and Tony Montalvo、  ” A Direct-Conversion Transmitter for Small-Cell Cellular Base Stations with Integrated Digital Predistortion in 65nm CMOS” IEEE RFIC2016．
【発明の概要】
【発明が解決しようとする課題】
【０００８】
従来の送受信機は以上のように構成されているので、２つの経路の周波数特性間の差分を算出することができるが、送信ローカル信号に対して、周波数がオフセットされている受信ローカル信号を生成する必要がある。このため、送信ローカル信号生成部と受信ローカル信号生成部を別個に実装している必要があり、送信ローカル信号生成部及び受信ローカル信号生成部はアナログ回路であるため、アナログ回路の回路規模が増大してしまうという課題があった。また、送信ローカル信号と受信ローカル信号が干渉して通信特性が劣化してしまうことがあるという課題があった。【０００９】
この発明は上記のような課題を解決するためになされたもので、アナログ回路の回路規模を削減することができるとともに、送信ローカル信号と受信ローカル信号の干渉に伴う通信特性の劣化を防止することができる送受信機を得ることを目的とする。
【課題を解決するための手段】
【００１０】
この発明に係る送受信機は、ローカル信号を生成するローカル信号生成部と、送信波の送信Ｉ相信号と送信Ｑ相信号を生成して、送信Ｉ相信号を第１の経路に出力し、送信Ｑ相信号を第２の経路に出力する送信ベースバンド部と、ローカル信号を用いて、第１の経路を通過した送信Ｉ相信号及び第２の経路を通過した送信Ｑ相信号を直交変調し、直交変調後の送信Ｉ相信号と直交変調後の送信Ｑ相信号とから高周波信号を生成する直交変調器と、ローカル信号を用いて、高周波信号を直交復調して受信Ｉ相信号及び受信Ｑ相信号を生成して、受信Ｉ相信号を第３の経路に出力し、受信Ｑ相信号を第４の経路に出力する直交復調器と、第３の経路を通過した受信Ｉ相信号及び第４の経路を通過した受信Ｑ相信号を計測する受信ベースバンド部と、送信ベースバンド部から第１及び第２の経路に出力される送信Ｉ相信号と送信Ｑ相信号を入れ替える第１の信号入替器とを設け、制御部が、第１の信号入替器による信号入替前及び信号入替後の受信ベースバンド部の計測結果に基づいて、送信ベースバンド部における送信Ｉ相信号及び送信Ｑ相信号の生成を制御するようにしたものである。
【発明の効果】
【００１１】
この発明によれば、送信ベースバンド部から第１及び第２の経路に出力される送信Ｉ相信号と送信Ｑ相信号を入れ替える第１の信号入替器を設け、制御部が、第１の信号入替器による信号入替前及び信号入替後の受信ベースバンド部の計測結果に基づいて、送信ベースバンド部における送信Ｉ相信号及び送信Ｑ相信号の生成を制御するように構成したので、アナログ回路の回路規模を削減することができるとともに、送信ローカル信号と受信ローカル信号の干渉に伴う通信特性の劣化を防止することができる効果がある。
【図面の簡単な説明】
【００１２】
【図１】この発明の実施の形態１による送受信機を示す構成図である。
【図２】この発明の実施の形態２による送受信機を示す構成図である。
【図３】この発明の実施の形態３による送受信機を示す構成図である。
【図４】この発明の実施の形態３による他の送受信機を示す構成図である。
【図５】この発明の実施の形態４による送受信機を示す構成図である。
【図６】この発明の実施の形態５による送受信機の９０度位相差生成部２３を示す構成図である。
【図７】この発明の実施の形態６による送受信機の９０度位相差生成部３７を示す構成図である。
【発明を実施するための形態】
【００１３】
以下、この発明をより詳細に説明するために、この発明を実施するための形態について、添付の図面にしたがって説明する。
【００１４】
実施の形態１．
図１はこの発明の実施の形態１による送受信機を示す構成図である。
図１において、ローカル信号生成部１はローカル信号を生成し、そのローカル信号を直交変調器３及び直交復調器４に出力するアナログ回路である。
送信ベースバンド部２は送信波の送信Ｉ相信号（以下、「ＴＸＩ信号」と称する）及び送信Ｑ相信号（以下、「ＴＸＱ信号」と称する）を生成する。
また、送信ベースバンド部２はＴＸＩ信号及びＴＸＱ信号をデジタルアナログ変換（以下、「Ｄ／Ａ変換」と称する）して、アナログ信号であるＴＸＩ信号を信号経路２１又は信号経路２２に出力し、アナログ信号であるＴＸＱ信号を信号経路２２又は信号経路２１に出力する。
【００１５】
直交変調器３はローカル信号生成部１から出力されたローカル信号を用いて、信号経路２１を通過したＴＸＩ信号及び信号経路２２を通過したＴＸＱ信号を直交変調するアナログ回路である。
また、直交変調器３は直交変調後のＴＸＩ信号と直交変調後のＴＸＱ信号とから高周波信号（以下、「ＴＸＯ信号」と称する）を生成し、ＴＸＯ信号を出力する。
【００１６】
直交復調器４はローカル信号生成部１から出力されたローカル信号を用いて、直交変調器３により生成されたＴＸＯ信号を直交復調して受信Ｉ相信号（以下、「ＲＸＩ信号」と称する）及び受信Ｑ相信号（以下、「ＲＸＱ信号」と称する）を生成するアナログ回路である。
また、直交復調器４はＲＸＩ信号を信号経路３５に出力し、ＲＸＱ信号を信号経路３６に出力する。
受信ベースバンド部５は信号経路３５を通過したＲＸＩ信号をアナログデジタル変換（以下、「Ａ／Ｄ変換」と称する）し、信号経路３６を通過したＲＸＱ信号をＡ／Ｄ変換する。
また、受信ベースバンド部５はデジタル信号であるＲＸＩ信号を計測し、デジタル信号であるＲＸＱ信号を計測する。
【００１７】
送信ベースバンド部２のＴＸＩ信号生成部１１は送信波のＴＸＩ信号を生成し、ＴＸＩ信号を第１の信号入替器１３のＴＸＩＳＷ１４に出力する送信Ｉ相信号生成部である。
送信ベースバンド部２のＴＸＱ信号生成部１２は送信波のＴＸＱ信号を生成し、ＴＸＱ信号を第１の信号入替器１３のＴＸＱＳＷ１５に出力する送信Ｑ相信号生成部である。
【００１８】
第１の信号入替器１３はＴＸＩＳＷ１４及びＴＸＱＳＷ１５を備えている。
第１の信号入替器１３は送信ベースバンド部２から信号経路２１及び信号経路２２に出力されるＴＸＩ信号とＴＸＱ信号の入れ替えを行う。
即ち、第１の信号入替器１３はＴＸ制御部５０から出力された指令が、ＴＸＩＳＷ１４，ＴＸＱＳＷ１５のａ端子から信号を出力する旨を示していれば、ＴＸＩ信号生成部１１により生成されたＴＸＩ信号をＤ／Ａ変換器１６に出力して、ＴＸＱ信号生成部１２により生成されたＴＸＱ信号をＤ／Ａ変換器１７に出力する。
第１の信号入替器１３はＴＸ制御部５０から出力された指令が、ＴＸＩＳＷ１４，ＴＸＱＳＷ１５のｂ端子から信号を出力する旨を示していれば、ＴＸＩ信号生成部１１により生成されたＴＸＩ信号をＤ／Ａ変換器１７に出力して、ＴＸＱ信号生成部１２により生成されたＴＸＱ信号をＤ／Ａ変換器１６に出力する。
【００１９】
ＴＸＩＳＷ１４はａ端子がＤ／Ａ変換器１６の入力端子と接続され、ｂ端子がＤ／Ａ変換器１７の入力端子と接続されている第１の経路切替部である。
ＴＸＩＳＷ１４はＴＸ制御部５０から出力された指令が、ａ端子から信号を出力する旨を示していれば、ａ端子からＴＸＩ信号生成部１１により生成されたＴＸＩ信号をＤ／Ａ変換器１６に出力する。
ＴＸＩＳＷ１４はＴＸ制御部５０から出力された指令が、ｂ端子から信号を出力する旨を示していれば、ｂ端子からＴＸＩ信号生成部１１により生成されたＴＸＩ信号をＤ／Ａ変換器１７に出力する。
【００２０】
ＴＸＱＳＷ１５はａ端子がＤ／Ａ変換器１７の入力端子と接続され、ｂ端子がＤ／Ａ変換器１６の入力端子と接続されている第２の経路切替部である。
ＴＸＱＳＷ１５はＴＸ制御部５０から出力された指令が、ａ端子から信号を出力する旨を示していれば、ａ端子からＴＸＱ信号生成部１２により生成されたＴＸＱ信号をＤ／Ａ変換器１７に出力する。
ＴＸＱＳＷ１５はＴＸ制御部５０から出力された指令が、ｂ端子から信号を出力する旨を示していれば、ｂ端子からＴＸＱ信号生成部１２により生成されたＴＸＱ信号をＤ／Ａ変換器１６に出力する。
【００２１】
Ｄ／Ａ変換器１６は入力端子がＴＸＩＳＷ１４のａ端子及びＴＸＱＳＷ１５のｂ端子と接続されている第１のデジタルアナログ変換部である。
Ｄ／Ａ変換器１６はＴＸＩＳＷ１４のａ端子から出力されたＴＸＩ信号又はＴＸＱＳＷ１５のｂ端子から出力されたＴＸＱ信号をＤ／Ａ変換し、アナログ信号であるＴＸＩ信号又はアナログ信号であるＴＸＱ信号を信号経路２１に出力する。
Ｄ／Ａ変換器１７は入力端子がＴＸＱＳＷ１５のａ端子及びＴＸＩＳＷ１４のｂ端子と接続されている第２のデジタルアナログ変換部である。
Ｄ／Ａ変換器１７はＴＸＱＳＷ１５のａ端子から出力されたＴＸＱ信号又はＴＸＩＳＷ１４のｂ端子から出力されたＴＸＩ信号をＤ／Ａ変換し、アナログ信号であるＴＸＱ信号又はアナログ信号であるＴＸＩ信号を信号経路２２に出力する。
【００２２】
信号経路２１は通過損失の周波数特性がＧ１で、通過位相の周波数特性がθ１の第１の経路であり、Ｄ／Ａ変換器１６から出力されたアナログ信号であるＴＸＩ信号又はアナログ信号であるＴＸＱ信号を伝送する。図１では、信号経路２１を「Ｆ特１」のように表記している。
信号経路２２は通過損失の周波数特性がＧ２で、通過位相の周波数特性がθ２の第２の経路であり、Ｄ／Ａ変換器１７から出力されたアナログ信号であるＴＸＱ信号又はアナログ信号であるＴＸＩ信号を伝送する。図１では、信号経路２２を「Ｆ特２」のように表記している。
【００２３】
直交変調器３の９０度位相差生成部２３はローカル信号生成部１により生成されたローカル信号から、ローカル信号と同一周波数の信号であって、互いの位相が９０度ずれている第１の送信ローカル信号と第２の送信ローカル信号を生成する第１の位相差生成部である。
即ち、９０度位相差生成部２３はａ端子からローカル信号生成部１により生成されたローカル信号と同一周波数の第１の送信ローカル信号を出力する。
また、９０度位相差生成部２３はｂ端子からローカル信号生成部１により生成されたローカル信号と同一周波数であり、第１の送信ローカル信号よりも９０度位相が進んでいる第２の送信ローカル信号又は第１の送信ローカル信号よりも９０度位相が遅れている第２の送信ローカル信号を出力する。
図１では、９０度位相差生成部２３を「±９０」のように表記している。
【００２４】
直交変調器３の周波数変換器２４は９０度位相差生成部２３のａ端子から出力された第１の送信ローカル信号を用いて、信号経路２１を通ってきたＴＸＩ信号又はＴＸＱ信号の周波数を変換し、周波数変換後のＴＸＩ信号又は周波数変換後のＴＸＱ信号を信号合成部２６に出力する第１の周波数変換器である。
直交変調器３の周波数変換器２５は９０度位相差生成部２３のｂ端子から出力された第２の送信ローカル信号を用いて、信号経路２２を通ってきたＴＸＱ信号又はＴＸＩ信号の周波数を変換し、周波数変換後のＴＸＱ信号又は周波数変換後のＴＸＩ信号を信号合成部２６に出力する第２の周波数変換器である。
直交変調器３の信号合成部２６は周波数変換器２４から出力された周波数変換後のＴＸＩ信号又は周波数変換後のＴＸＱ信号と、周波数変換器２５から出力された周波数変換後のＴＸＱ信号又は周波数変換後のＴＸＩ信号とを合成し、その合成信号であるＴＸＯ信号を出力する。
【００２５】
直交復調器４の信号分岐部３１は直交変調器３の信号合成部２６から出力されたＴＸＯ信号を２分岐し、一方のＴＸＯ信号を周波数変換器３３に出力して、他方のＴＸＯ信号を周波数変換器３４に出力する。
直交復調器４の９０度位相差生成部３２はローカル信号生成部１により生成されたローカル信号から、ローカル信号と同一周波数の信号であって、互いの位相が９０度ずれている第１の受信ローカル信号と第２の受信ローカル信号を生成する第２の位相差生成部である。
即ち、９０度位相差生成部３２はａ端子からローカル信号生成部１により生成されたローカル信号と同一周波数の第１の受信ローカル信号を出力する。
また、９０度位相差生成部３２はｂ端子からローカル信号生成部１により生成されたローカル信号と同一周波数であり、第１の受信ローカル信号よりも９０度位相が進んでいる第２の受信ローカル信号を出力する。
図１では、９０度位相差生成部３２を「＋９０」のように表記している。
【００２６】
直交復調器４の周波数変換器３３は９０度位相差生成部３２のａ端子から出力された第１の受信ローカル信号を用いて、信号分岐部３１により分岐されたＴＸＯ信号の周波数を変換し、周波数変換後のＴＸＯ信号であるＲＸＩ信号を信号経路３５に出力する第３の周波数変換器である。
直交復調器４の周波数変換器３４は９０度位相差生成部３２のｂ端子から出力された第２の受信ローカル信号を用いて、信号分岐部３１により分岐されたＴＸＯ信号の周波数を変換し、周波数変換後のＴＸＯ信号であるＲＸＱ信号を信号経路３６に出力する第４の周波数変換器である。
【００２７】
信号経路３５は通過損失の周波数特性がＧ３で、通過位相の周波数特性がθ３の第３の経路であり、周波数変換器３３から出力されたＲＸＩ信号を伝送する。図１では、信号経路３５を「Ｆ特３」のように表記している。
直交復調器４の信号経路３６は通過損失の周波数特性がＧ４で、通過位相の周波数特性がθ４の第４の経路であり、周波数変換器３４から出力されたＲＸＱ信号を伝送する。図１では、信号経路３６を「Ｆ特４」のように表記している。
【００２８】
受信ベースバンド部５のＡ／Ｄ変換器４１は信号経路３５を通ってきたＲＸＩ信号をＡ／Ｄ変換し、デジタル信号であるＲＸＩ信号をＲＸＩ信号処理部４３に出力する第１のアナログデジタル変換部である。
受信ベースバンド部５のＡ／Ｄ変換器４２は信号経路３６を通ってきたＲＸＱ信号をＡ／Ｄ変換し、デジタル信号であるＲＸＱ信号をＲＸＱ信号処理部４４に出力する第２のアナログデジタル変換部である。
【００２９】
受信ベースバンド部５のＲＸＩ信号処理部４３はＡ／Ｄ変換器４１から出力されたデジタル信号であるＲＸＩ信号を計測する第１の信号計測部である。
受信ベースバンド部５のＲＸＱ信号処理部４４はＡ／Ｄ変換器４２から出力されたデジタル信号であるＲＸＱ信号を計測する第２の信号計測部である。
【００３０】
送信ベースバンド部２のＴＸ制御部５０は第１の信号入替器１３のＴＸＩＳＷ１４，ＴＸＱＳＷ１５、ＴＸＩ信号生成部１１及びＴＸＱ信号生成部１２を制御する制御部である。
ＴＸ制御部５０は第１の信号入替器１３による信号入替前及び信号入替後におけるＲＸＩ信号処理部４３の計測結果に基づいて、ＴＸＩ信号生成部１１におけるＴＸＩ信号の生成及びＴＸＱ信号生成部１２におけるＴＸＱ信号の生成を制御する。
即ち、ＴＸ制御部５０は第１の信号入替器１３によりＴＸＩ信号とＴＸＱ信号が入れ替えられる前に、ＲＸＩ信号処理部４３により計測されたＲＸＩ信号と、第１の信号入替器１３によりＴＸＩ信号とＴＸＱ信号が入れ替えられた後に、ＲＸＩ信号処理部４３により計測されたＲＸＩ信号とを取得する。
ＴＸ制御部５０は、取得した２つのＲＸＩ信号に基づいて、周波数変換器２４による周波数変換後のＴＸＩ信号又はＴＸＱ信号の振幅及び位相と、周波数変換器２５による周波数変換後のＴＸＱ信号又はＴＸＩ信号の振幅及び位相とが合うように、ＴＸＩ信号生成部１１のイコライザ処理及びＴＸＱ信号生成部１２のイコライザ処理を制御する。
【００３１】
また、ＴＸ制御部５０は第１の信号入替器１３による信号入替前及び信号入替後におけるＲＸＱ信号処理部４４の計測結果に基づいて、ＴＸＩ信号生成部１１におけるＴＸＩ信号の生成及びＴＸＱ信号生成部１２におけるＴＸＱ信号の生成を制御する。
即ち、ＴＸ制御部５０は第１の信号入替器１３によりＴＸＩ信号とＴＸＱ信号が入れ替えられる前に、ＲＸＱ信号処理部４４により計測されたＲＸＱ信号と、第１の信号入替器１３によりＴＸＩ信号とＴＸＱ信号が入れ替えられた後に、ＲＸＱ信号処理部４４により計測されたＲＸＱ信号とを取得する。
ＴＸ制御部５０は、取得した２つのＲＸＱ信号に基づいて、周波数変換器２４による周波数変換後のＴＸＩ信号又はＴＸＱ信号の振幅及び位相と、周波数変換器２５による周波数変換後のＴＸＱ信号又はＴＸＩ信号の振幅及び位相とが合うように、ＴＸＩ信号生成部１１のイコライザ処理及びＴＸＱ信号生成部１２のイコライザ処理を制御する。
ＴＸＩ信号生成部１１のイコライザ処理は、生成するＴＸＩ信号の振幅及び位相を制御する処理であり、ＴＸＱ信号生成部１２のイコライザ処理は、生成するＴＸＱ信号の振幅及び位相を制御する処理である。
【００３２】
次に動作について説明する。
この実施の形態１では、送受信機をモード（１）又はモード（２）で動作させて、ＲＸＩ信号とＲＸＱ信号を計測する。
最初に、送受信機をモード（１）で動作させて、ＲＸＩ信号とＲＸＱ信号を計測する処理内容を説明する。
モード（１）は、ＴＸＩＳＷ１４のａ端子からＴＸＩ信号をＤ／Ａ変換器１６に出力し、ＴＸＱＳＷ１５のａ端子からＴＸＱ信号をＤ／Ａ変換器１７に出力するモードである。
モード（１）では、９０度位相差生成部２３のｂ端子から出力される第２の送信ローカル信号は、９０度位相差生成部２３のａ端子から出力される第１の送信ローカル信号よりも位相が９０度進んでいる信号である。
【００３３】
送信ベースバンド部２のＴＸＩ信号生成部１１は、送信波のＴＸＩ信号を生成し、ＴＸＩ信号を第１の信号入替器１３のＴＸＩＳＷ１４に出力する。
送信ベースバンド部２のＴＸＱ信号生成部１２は、送信波のＴＸＱ信号を生成し、ＴＸＱ信号を第１の信号入替器１３のＴＸＱＳＷ１５に出力する。
【００３４】
送信ベースバンド部２のＴＸ制御部５０は、モード（１）であるため、ＴＸＩＳＷ１４，ＴＸＱＳＷ１５から出力される信号の切替指令として、ａ端子から信号を出力する旨を示す指令をＴＸＩＳＷ１４，ＴＸＱＳＷ１５に出力する。
第１の信号入替器１３のＴＸＩＳＷ１４は、ＴＸ制御部５０から出力された切替指令に基づいて、ａ端子からＴＸＩ信号生成部１１により生成されたＴＸＩ信号をＤ／Ａ変換器１６に出力する。
第１の信号入替器１３のＴＸＱＳＷ１５は、ＴＸ制御部５０から出力された切替指令に基づいて、ａ端子からＴＸＱ信号生成部１２により生成されたＴＸＱ信号をＤ／Ａ変換器１７に出力する。
【００３５】
送信ベースバンド部２のＤ／Ａ変換器１６は、ＴＸＩＳＷ１４のａ端子から出力されたＴＸＩ信号をＤ／Ａ変換し、アナログ信号であるＴＸＩ信号を信号経路２１に出力する。
送信ベースバンド部２のＤ／Ａ変換器１７は、ＴＸＱＳＷ１５のａ端子から出力されたＴＸＱ信号をＤ／Ａ変換し、アナログ信号であるＴＸＱ信号を信号経路２２に出力する。
【００３６】
送信ベースバンド部２のＤ／Ａ変換器１６から出力されたＴＸＩ信号は、信号経路２１を通過する。
これにより、ＴＸＩ信号には、信号経路２１が持つ周波数特性、即ち、通過損失がＧ１の周波数特性と通過位相がθ１の周波数特性とが付加される。
送信ベースバンド部２のＤ／Ａ変換器１７から出力されたＴＸＱ信号は、信号経路２２を通過する。
これにより、ＴＸＱ信号には、信号経路２２が持つ周波数特性、即ち、通過損失がＧ２の周波数特性と通過位相がθ２の周波数特性とが付加される。
【００３７】
直交変調器３の９０度位相差生成部２３は、ａ端子からローカル信号生成部１により生成されたローカル信号と同一周波数の第１の送信ローカル信号を周波数変換器２４に出力する。
また、９０度位相差生成部２３は、モード（１）であるため、ｂ端子から第１の送信ローカル信号よりも９０度位相が進んでいる第２の送信ローカル信号を周波数変換器２５に出力する。
【００３８】
直交変調器３の周波数変換器２４は、９０度位相差生成部２３のａ端子から出力された第１の送信ローカル信号を用いて、信号経路２１を通ってきたアナログ信号であるＴＸＩ信号の周波数を変換し、周波数変換後のＴＸＩ信号を信号合成部２６に出力する。
直交変調器３の周波数変換器２５は、９０度位相差生成部２３のｂ端子から出力された第２の送信ローカル信号を用いて、信号経路２２を通ってきたアナログ信号であるＴＸＱ信号の周波数を変換し、周波数変換後のＴＸＱ信号を信号合成部２６に出力する。
直交変調器３の信号合成部２６は、周波数変換器２４から出力された周波数変換後のＴＸＩ信号と、周波数変換器２５から出力された周波数変換後のＴＸＱ信号とを合成し、その合成信号であるＴＸＯ信号を出力する。
【００３９】
直交復調器４の信号分岐部３１は、直交変調器３の信号合成部２６からＴＸＯ信号を受けると、ＴＸＯ信号を２分岐し、一方のＴＸＯ信号を周波数変換器３３に出力して、他方のＴＸＯ信号を周波数変換器３４に出力する。
直交復調器４の９０度位相差生成部３２は、ａ端子からローカル信号生成部１により生成されたローカル信号と同一周波数の第１の受信ローカル信号を周波数変換器３３に出力する。
また、９０度位相差生成部３２は、ｂ端子からローカル信号生成部１により生成されたローカル信号と同一周波数であり、第１の受信ローカル信号よりも９０度位相が進んでいる第２の受信ローカル信号を周波数変換器３４に出力する。
【００４０】
直交復調器４の周波数変換器３３は、９０度位相差生成部３２のａ端子から出力された第１の受信ローカル信号を用いて、信号分岐部３１により分岐された一方のＴＸＯ信号の周波数を変換し、周波数変換後のＴＸＯ信号であるＲＸＩ信号を信号経路３５に出力する。
直交復調器４の周波数変換器３４は、９０度位相差生成部３２のｂ端子から出力された第２の受信ローカル信号を用いて、信号分岐部３１により分岐された他方のＴＸＯ信号の周波数を変換し、周波数変換後のＴＸＯ信号であるＲＸＱ信号を信号経路３６に出力する。
【００４１】
直交復調器４の周波数変換器３３から出力されたＲＸＩ信号は、信号経路３５を通過する。
これにより、ＲＸＩ信号には、信号経路３５が持つ周波数特性、即ち、通過損失がＧ３の周波数特性と通過位相がθ３の周波数特性とが付加される。
直交復調器４の周波数変換器３４から出力されたＲＸＱ信号は、信号経路３６を通過する。
これにより、ＲＸＱ信号には、信号経路３６が持つ周波数特性、即ち、通過損失がＧ４の周波数特性と通過位相がθ４の周波数特性とが付加される。
【００４２】
受信ベースバンド部５のＡ／Ｄ変換器４１は、信号経路３５を通ってきたＲＸＩ信号をＡ／Ｄ変換し、デジタル信号であるＲＸＩ信号をＲＸＩ信号処理部４３に出力する。
受信ベースバンド部５のＡ／Ｄ変換器４２は、信号経路３６を通ってきたＲＸＱ信号をＡ／Ｄ変換し、デジタル信号であるＲＸＱ信号をＲＸＱ信号処理部４４に出力する。
【００４３】
受信ベースバンド部５のＲＸＩ信号処理部４３は、Ａ／Ｄ変換器４１からデジタル信号であるＲＸＩ信号を受けると、そのＲＸＩ信号を計測する。
受信ベースバンド部５のＲＸＱ信号処理部４４は、Ａ／Ｄ変換器４２からデジタル信号であるＲＸＱ信号を受けると、そのＲＸＱ信号を計測する。
ここで、ＲＸＩ信号処理部４３により計測されるＲＸＩ信号は、以下の式（１）で表される。
ＲＸＩ
＝０．５Ａ（Ｇ１×Ｇ３）ｃｏｓ（θ＋（θ１＋θ３））      （１）
また、ＲＸＱ信号処理部４４により計測されるＲＸＱ信号は、以下の式（２）で表される。
ＲＸＱ
＝０．５Ａ（Ｇ２×Ｇ４）ｓｉｎ（θ＋（θ２＋θ４））      （２）
式（１）（２）において、Ａは定数である。
【００４４】
次に、送受信機をモード（２）で動作させて、ＲＸＩ信号とＲＸＱ信号を計測する処理内容を説明する。
モード（２）は、ＴＸＩＳＷ１４のｂ端子からＴＸＩ信号をＤ／Ａ変換器１７に出力し、ＴＸＱＳＷ１５のｂ端子からＴＸＱ信号をＤ／Ａ変換器１６に出力するモードである。
モード（２）では、９０度位相差生成部２３のｂ端子から出力される第２の送信ローカル信号は、９０度位相差生成部２３のａ端子から出力される第１の送信ローカル信号よりも位相が９０度遅れている信号である。
【００４５】
送信ベースバンド部２のＴＸＩ信号生成部１１は、送信波のＴＸＩ信号を生成し、ＴＸＩ信号を第１の信号入替器１３のＴＸＩＳＷ１４に出力する。
送信ベースバンド部２のＴＸＱ信号生成部１２は、送信波のＴＸＱ信号を生成し、ＴＸＱ信号を第１の信号入替器１３のＴＸＱＳＷ１５に出力する。
【００４６】
送信ベースバンド部２のＴＸ制御部５０は、モード（２）であるため、ＴＸＩＳＷ１４，ＴＸＱＳＷ１５から出力される信号の切替指令として、ｂ端子から信号を出力する旨を示す指令をＴＸＩＳＷ１４，ＴＸＱＳＷ１５に出力する。
第１の信号入替器１３のＴＸＩＳＷ１４は、ＴＸ制御部５０から出力された切替指令に基づいて、ｂ端子からＴＸＩ信号生成部１１により生成されたＴＸＩ信号をＤ／Ａ変換器１７に出力する。
第１の信号入替器１３のＴＸＱＳＷ１５は、ＴＸ制御部５０から出力された切替指令に基づいて、ｂ端子からＴＸＱ信号生成部１２により生成されたＴＸＱ信号をＤ／Ａ変換器１６に出力する。
【００４７】
送信ベースバンド部２のＤ／Ａ変換器１６は、ＴＸＱＳＷ１５のｂ端子から出力されたＴＸＱ信号をＤ／Ａ変換し、アナログ信号であるＴＸＱ信号を信号経路２１に出力する。
送信ベースバンド部２のＤ／Ａ変換器１７は、ＴＸＩＳＷ１４のｂ端子から出力されたＴＸＩ信号をＤ／Ａ変換し、アナログ信号であるＴＸＩ信号を信号経路２２に出力する。
【００４８】
送信ベースバンド部２のＤ／Ａ変換器１６から出力されたＴＸＱ信号は、信号経路２１を通過する。
これにより、ＴＸＱ信号には、信号経路２１が持つ周波数特性、即ち、通過損失がＧ１の周波数特性と通過位相がθ１の周波数特性とが付加される。
送信ベースバンド部２のＤ／Ａ変換器１７から出力されたＴＸＩ信号は、信号経路２２を通過する。
これにより、ＴＸＩ信号には、信号経路２２が持つ周波数特性、即ち、通過損失がＧ２の周波数特性と通過位相がθ２の周波数特性とが付加される。
【００４９】
直交変調器３の９０度位相差生成部２３は、ａ端子からローカル信号生成部１により生成されたローカル信号と同一周波数の第１の送信ローカル信号を周波数変換器２４に出力する。
また、９０度位相差生成部２３は、モード（２）であるため、ｂ端子から第１の送信ローカル信号よりも９０度位相が遅れている第２の送信ローカル信号を周波数変換器２５に出力する。
【００５０】
直交変調器３の周波数変換器２４は、９０度位相差生成部２３のａ端子から出力された第１の送信ローカル信号を用いて、信号経路２１を通ってきたアナログ信号であるＴＸＱ信号の周波数を変換し、周波数変換後のＴＸＱ信号を信号合成部２６に出力する。
直交変調器３の周波数変換器２５は、９０度位相差生成部２３のｂ端子から出力された第２の送信ローカル信号を用いて、信号経路２２を通ってきたアナログ信号であるＴＸＩ信号の周波数を変換し、周波数変換後のＴＸＩ信号を信号合成部２６に出力する。
直交変調器３の信号合成部２６は、周波数変換器２４から出力された周波数変換後のＴＸＱ信号と、周波数変換器２５から出力された周波数変換後のＴＸＩ信号とを合成し、その合成信号であるＴＸＯ信号を出力する。
【００５１】
直交復調器４の信号分岐部３１は、直交変調器３の信号合成部２６からＴＸＯ信号を受けると、ＴＸＯ信号を２分岐し、一方のＴＸＯ信号を周波数変換器３３に出力して、他方のＴＸＯ信号を周波数変換器３４に出力する。
直交復調器４の９０度位相差生成部３２は、ａ端子からローカル信号生成部１により生成されたローカル信号と同一周波数の第１の受信ローカル信号を周波数変換器３３に出力する。
また、９０度位相差生成部３２は、ｂ端子からローカル信号生成部１により生成されたローカル信号と同一周波数であり、第１の受信ローカル信号よりも９０度位相が進んでいる第２の受信ローカル信号を周波数変換器３４に出力する。
【００５２】
直交復調器４の周波数変換器３３は、９０度位相差生成部３２のａ端子から出力された第１の受信ローカル信号を用いて、信号分岐部３１により分岐された一方のＴＸＯ信号の周波数を変換し、周波数変換後のＴＸＯ信号であるＲＸＩ信号を信号経路３５に出力する。
直交復調器４の周波数変換器３４は、９０度位相差生成部３２のｂ端子から出力された第２の受信ローカル信号を用いて、信号分岐部３１により分岐された他方のＴＸＯ信号の周波数を変換し、周波数変換後のＴＸＯ信号であるＲＸＱ信号を信号経路３６に出力する。
【００５３】
直交復調器４の周波数変換器３３から出力されたＲＸＩ信号は、信号経路３５を通過する。
これにより、ＲＸＩ信号には、信号経路３５が持つ周波数特性、即ち、通過損失がＧ３の周波数特性と通過位相がθ３の周波数特性とが付加される。
直交復調器４の周波数変換器３４から出力されたＲＸＱ信号は、信号経路３６を通過する。
これにより、ＲＸＱ信号には、信号経路３６が持つ周波数特性、即ち、通過損失がＧ４の周波数特性と通過位相がθ４の周波数特性とが付加される。
【００５４】
受信ベースバンド部５のＡ／Ｄ変換器４１は、信号経路３５を通ってきたＲＸＩ信号をＡ／Ｄ変換し、デジタル信号であるＲＸＩ信号をＲＸＩ信号処理部４３に出力する。
受信ベースバンド部５のＡ／Ｄ変換器４２は、信号経路３６を通ってきたＲＸＱ信号をＡ／Ｄ変換し、デジタル信号であるＲＸＱ信号をＲＸＱ信号処理部４４に出力する。
【００５５】
受信ベースバンド部５のＲＸＩ信号処理部４３は、Ａ／Ｄ変換器４１からデジタル信号であるＲＸＩ信号を受けると、そのＲＸＩ信号を計測する。
受信ベースバンド部５のＲＸＱ信号処理部４４は、Ａ／Ｄ変換器４２からデジタル信号であるＲＸＱ信号を受けると、そのＲＸＱ信号を計測する。
ここで、ＲＸＩ信号処理部４３により計測されるＲＸＩ信号は、以下の式（３）で表される。
ＲＸＩ
＝０．５Ａ（Ｇ２×Ｇ３）ｃｏｓ（θ＋（θ２＋θ３））      （３）
また、ＲＸＱ信号処理部４４により計測されるＲＸＱ信号は、以下の式（４）で表される。
ＲＸＱ
＝０．５Ａ（Ｇ１×Ｇ４）ｓｉｎ（θ＋（θ１＋θ４））      （４）
【００５６】
ＴＸ制御部５０は、モード（１）でＲＸＩ信号処理部４３により計測された式（１）が示すＲＸＩ信号と、モード（２）でＲＸＩ信号処理部４３により計測された式（３）が示すＲＸＩ信号とから、信号経路２１の通過損失Ｇ１と信号経路２２の通過損失Ｇ２との比である振幅比（Ｇ１／Ｇ２）を導出する。
振幅比（Ｇ１／Ｇ２）は、以下の式（５）に示すように、式（１）が示すＲＸＩ信号の振幅である０．５Ａ（Ｇ１×Ｇ３）を式（３）が示すＲＸＩ信号の振幅である０．５Ａ（Ｇ２×Ｇ３）で除算することで、導出することができる。
Ｇ１／Ｇ２
＝（０．５Ａ（Ｇ１×Ｇ３））／（０．５Ａ（Ｇ２×Ｇ３））    （５）
【００５７】
ＴＸ制御部５０は、モード（１）でＲＸＩ信号処理部４３により計測された式（１）が示すＲＸＩ信号と、モード（２）でＲＸＩ信号処理部４３により計測された式（３）が示すＲＸＩ信号とから、信号経路２１の通過位相θ１と信号経路２２の通過位相θ２との差である位相差（θ１−θ２）を導出する。
位相差（θ１−θ２）は、以下の式（６）に示すように、式（１）が示すＲＸＩ信号の位相であるθ＋（θ１＋θ３）から、式（３）が示すＲＸＩ信号の位相であるθ＋（θ２＋θ３）を減算することで、導出することができる。
θ１−θ２
＝（θ＋（θ１＋θ３））−（θ＋（θ２＋θ３））        （６）
【００５８】
ＴＸ制御部５０は、振幅比（Ｇ１／Ｇ２）と位相差（θ１−θ２）を導出すると、振幅比（Ｇ１／Ｇ２）が１になり、かつ、位相差（θ１−θ２）が０になるように、ＴＸＩ信号生成部１１のイコライザ処理及びＴＸＱ信号生成部１２のイコライザ処理を制御する。
即ち、ＴＸ制御部５０は、振幅比（Ｇ１／Ｇ２）が１になり、かつ、位相差（θ１−θ２）が０になるように、ＴＸＩ信号生成部１１により生成されるＴＸＩ信号の振幅及び位相と、ＴＸＱ信号生成部１２により生成されるＴＸＱ信号の振幅及び位相とを制御する。
これにより、アナログ回路であるローカル信号生成部１が、直交変調器３と直交復調器４で共通に使用される場合でも、信号経路２１が持つ周波数特性と、信号経路２２が持つ周波数特性との差分を補償することができる。
信号経路２１が持つ周波数特性と、信号経路２２が持つ周波数特性との差分が補償されることで、ＴＸＯ信号におけるイメージ成分の発生を抑えることができる。
【００５９】
ここでは、ＴＸ制御部５０が、モード（１）でＲＸＩ信号処理部４３により計測された式（１）が示すＲＸＩ信号と、モード（２）でＲＸＩ信号処理部４３により計測された式（３）が示すＲＸＩ信号とから、信号経路２１，２２における周波数特性の差分を導出する例を示しているが、以下のように、周波数特性の差分を導出するようにしてもよい。
即ち、ＴＸ制御部５０は、モード（１）でＲＸＱ信号処理部４４により計測された式（２）が示すＲＸＱ信号と、モード（２）でＲＸＱ信号処理部４４により計測された式（４）が示すＲＸＱ信号とから、信号経路２１，２２における周波数特性の差分を導出するようにしてもよい。
振幅比（Ｇ１／Ｇ２）は、以下の式（７）に示すように、式（４）が示すＲＸＱ信号の振幅である０．５Ａ（Ｇ１×Ｇ４）を式（２）が示すＲＸＱ信号の振幅である０．５Ａ（Ｇ２×Ｇ４）で除算することで、導出することができる。
Ｇ１／Ｇ２
＝（０．５Ａ（Ｇ１×Ｇ４）／（０．５Ａ（Ｇ２×Ｇ４））    （７）
位相差（θ１−θ２）は、以下の式（８）に示すように、式（４）が示すＲＸＱ信号の位相であるθ＋（θ１＋θ４）から、式（２）が示すＲＸＱ信号の位相であるθ＋（θ２＋θ４）を減算することで、導出することができる。
θ１−θ２
＝（θ＋（θ１＋θ４））−（θ＋（θ２＋θ４））        （８）
【００６０】
以上で明らかなように、この実施の形態１によれば、送信ベースバンド部２から信号経路２１及び信号経路２２に出力されるＴＸＩ信号とＴＸＱ信号を入れ替える第１の信号入替器１３を設け、ＴＸ制御部５０が、第１の信号入替器１３による信号入替前及び信号入替後の受信ベースバンド部５の計測結果に基づいて、送信ベースバンド部２におけるＴＸＩ信号及ＴＸＱ信号の生成を制御するように構成している。
これにより、送受信機は、アナログ回路であるローカル信号生成部として、１つのローカル信号生成部１を実装すれば足りる。このため、アナログ回路の回路規模を削減することができる効果が得られる。また、送信ローカル信号生成部と受信ローカル信号生成部を別個に実装した場合のように、送信ローカル信号と受信ローカル信号が干渉することがなくなるため、送信ローカル信号と受信ローカル信号の干渉に伴う通信特性の劣化を防止することができる効果が得られる。
【００６１】
実施の形態２．
上記実施の形態１では、送信ベースバンド部２が第１の信号入替器１３を備えている例を示したが、この実施の形態２では、送信ベースバンド部２が第１の信号入替器１３を備え、かつ、受信ベースバンド部５が第２の信号入替器４５を備えている例を説明する。
【００６２】
図２はこの発明の実施の形態２による送受信機を示す構成図であり、図２において、図１と同一符号は同一または相当部分を示すので説明を省略する。
直交復調器４の９０度位相差生成部３７はローカル信号生成部１により生成されたローカル信号から、ローカル信号と同一周波数の信号であって、互いの位相が９０度ずれている第１の受信ローカル信号と第２の受信ローカル信号を生成する第２の位相差生成部である。
即ち、９０度位相差生成部３７はａ端子からローカル信号生成部１により生成されたローカル信号と同一周波数の第１の受信ローカル信号を出力する。
また、９０度位相差生成部３７はｂ端子からローカル信号生成部１により生成されたローカル信号と同一周波数であり、第１の受信ローカル信号よりも９０度位相が進んでいる第２の受信ローカル信号又は第１の第１の受信ローカル信号よりも９０度位相が遅れている第２の受信ローカル信号を出力する。
図２では、９０度位相差生成部３７を「±９０」のように表記している。
【００６３】
第２の信号入替器４５はＲＸＩＳＷ４６及びＲＸＱＳＷ４７を備えている。
第２の信号入替器４５は信号経路３５及び信号経路３６から受信ベースバンド部５に出力されるデジタル信号の入れ替えを行う。
ＲＸＩＳＷ４６はａ端子がＡ／Ｄ変換器４１の出力端子と接続され、ｂ端子がＡ／Ｄ変換器４２の出力端子と接続されている第３の経路切替部である。
ＲＸＩＳＷ４６はＴＸ制御部５１から出力された指令が、ａ端子から信号を入力する旨を示していれば、Ａ／Ｄ変換器４１から出力されたデジタル信号をＲＸＩ信号処理部４３に出力する。
ＲＸＩＳＷ４６はＴＸ制御部５１から出力された指令が、ｂ端子から信号を入力する旨を示していれば、Ａ／Ｄ変換器４２から出力されたデジタル信号をＲＸＩ信号処理部４３に出力する。
【００６４】
ＲＸＱＳＷ４７はａ端子がＡ／Ｄ変換器４２の出力端子と接続され、ｂ端子がＡ／Ｄ変換器４１の出力端子と接続されている第４の経路切替部である。
ＲＸＱＳＷ４７はＴＸ制御部５１から出力された指令が、ａ端子から信号を入力する旨を示していれば、Ａ／Ｄ変換器４２から出力されたデジタル信号をＲＸＱ信号処理部４４に出力する。
ＲＸＱＳＷ４７はＴＸ制御部５１から出力された指令が、ｂ端子から信号を入力する旨を示していれば、Ａ／Ｄ変換器４１から出力されたデジタル信号をＲＸＱ信号処理部４４に出力する。
【００６５】
送信ベースバンド部２のＴＸ制御部５１は第１の信号入替器１３のＴＸＩＳＷ１４，ＴＸＱＳＷ１５、第２の信号入替器４５のＲＸＩＳＷ４６，ＲＸＱＳＷ４７、ＴＸＩ信号生成部１１及びＴＸＱ信号生成部１２を制御する制御部である。
ＴＸ制御部５１は、図１のＴＸ制御部５０と同様に、第１の信号入替器１３による信号入替前及び信号入替後におけるＲＸＩ信号処理部４３の計測結果に基づいて、ＴＸＩ信号生成部１１におけるＴＸＩ信号の生成及びＴＸＱ信号生成部１２におけるＴＸＱ信号の生成を制御する。
また、ＴＸ制御部５１は、図１のＴＸ制御部５０と同様に、第１の信号入替器１３による信号入替前及び信号入替後におけるＲＸＱ信号処理部４４の計測結果に基づいて、ＴＸＩ信号生成部１１におけるＴＸＩ信号の生成及びＴＸＱ信号生成部１２におけるＴＸＱ信号の生成を制御する。
【００６６】
ＴＸ制御部５１は第２の信号入替器４５による信号入替前及び信号入替後におけるＲＸＩ信号処理部４３の計測結果に基づいて、ＴＸＩ信号生成部１１におけるＴＸＩ信号の生成及びＴＸＱ信号生成部１２におけるＴＸＱ信号の生成を制御する。
また、ＴＸ制御部５１は第２の信号入替器４５による信号入替前及び信号入替後におけるＲＸＱ信号処理部４４の計測結果に基づいて、ＴＸＩ信号生成部１１におけるＴＸＩ信号の生成及びＴＸＱ信号生成部１２におけるＴＸＱ信号の生成を制御する。
【００６７】
次に動作について説明する。
この実施の形態２では、送受信機をモード（１１）、モード（２１）、モード（１２）又はモード（２２）で動作させて、ＲＸＩ信号とＲＸＱ信号を計測する。
最初に、送受信機をモード（１１）で動作させて、ＲＸＩ信号とＲＸＱ信号を計測する処理内容を説明する。
モード（１１）は、ＴＸＩＳＷ１４のａ端子からＴＸＩ信号をＤ／Ａ変換器１６に出力し、ＴＸＱＳＷ１５のａ端子からＴＸＱ信号をＤ／Ａ変換器１７に出力するモードである。
また、モード（１１）は、ＲＸＩＳＷ４６はａ端子に入力された信号を出力し、ＲＸＱＳＷ４７はａ端子に入力された信号を出力するモードである。
モード（１１）では、９０度位相差生成部２３のｂ端子から出力される第２の送信ローカル信号は、９０度位相差生成部２３のａ端子から出力される第１の送信ローカル信号よりも位相が９０度進んでいる信号である。
また、モード（１１）では、９０度位相差生成部３７のｂ端子から出力される第２の受信ローカル信号は、９０度位相差生成部３７のａ端子から出力される第１の受信ローカル信号よりも位相が９０度進んでいる信号である。
【００６８】
送信ベースバンド部２のＴＸＩ信号生成部１１は、送信波のＴＸＩ信号を生成し、ＴＸＩ信号を第１の信号入替器１３のＴＸＩＳＷ１４に出力する。
送信ベースバンド部２のＴＸＱ信号生成部１２は、送信波のＴＸＱ信号を生成し、ＴＸＱ信号を第１の信号入替器１３のＴＸＱＳＷ１５に出力する。
【００６９】
送信ベースバンド部２のＴＸ制御部５１は、モード（１１）であるため、ＴＸＩＳＷ１４，ＴＸＱＳＷ１５から出力される信号の切替指令として、ａ端子から信号を出力する旨を示す指令をＴＸＩＳＷ１４，ＴＸＱＳＷ１５に出力する。
第１の信号入替器１３のＴＸＩＳＷ１４は、ＴＸ制御部５１から出力された切替指令に基づいて、ａ端子からＴＸＩ信号生成部１１により生成されたＴＸＩ信号をＤ／Ａ変換器１６に出力する。
第１の信号入替器１３のＴＸＱＳＷ１５は、ＴＸ制御部５１から出力された切替指令に基づいて、ａ端子からＴＸＱ信号生成部１２により生成されたＴＸＱ信号をＤ／Ａ変換器１７に出力する。
【００７０】
送信ベースバンド部２のＤ／Ａ変換器１６は、ＴＸＩＳＷ１４のａ端子から出力されたＴＸＩ信号をＤ／Ａ変換し、アナログ信号であるＴＸＩ信号を信号経路２１に出力する。
送信ベースバンド部２のＤ／Ａ変換器１７は、ＴＸＱＳＷ１５のａ端子から出力されたＴＸＱ信号をＤ／Ａ変換し、アナログ信号であるＴＸＱ信号を信号経路２２に出力する。
【００７１】
送信ベースバンド部２のＤ／Ａ変換器１６から出力されたＴＸＩ信号は、信号経路２１を通過する。
これにより、ＴＸＩ信号には、信号経路２１が持つ周波数特性、即ち、通過損失がＧ１の周波数特性と通過位相がθ１の周波数特性とが付加される。
送信ベースバンド部２のＤ／Ａ変換器１７から出力されたＴＸＱ信号は、信号経路２２を通過する。
これにより、ＴＸＱ信号には、信号経路２２が持つ周波数特性、即ち、通過損失がＧ２の周波数特性と通過位相がθ２の周波数特性とが付加される。
【００７２】
直交変調器３の９０度位相差生成部２３は、ａ端子からローカル信号生成部１により生成されたローカル信号と同一周波数の第１の送信ローカル信号を周波数変換器２４に出力する。
また、９０度位相差生成部２３は、モード（１１）であるため、ｂ端子から第１の送信ローカル信号よりも９０度位相が進んでいる第２の送信ローカル信号を周波数変換器２５に出力する。
【００７３】
直交変調器３の周波数変換器２４は、９０度位相差生成部２３のａ端子から出力された第１の送信ローカル信号を用いて、信号経路２１を通ってきたアナログ信号であるＴＸＩ信号の周波数を変換し、周波数変換後のＴＸＩ信号を信号合成部２６に出力する。
直交変調器３の周波数変換器２５は、９０度位相差生成部２３のｂ端子から出力された第２の送信ローカル信号を用いて、信号経路２２を通ってきたアナログ信号であるＴＸＱ信号の周波数を変換し、周波数変換後のＴＸＱ信号を信号合成部２６に出力する。
直交変調器３の信号合成部２６は、周波数変換器２４から出力された周波数変換後のＴＸＩ信号と、周波数変換器２５から出力された周波数変換後のＴＸＱ信号とを合成し、その合成信号であるＴＸＯ信号を出力する。
【００７４】
直交復調器４の信号分岐部３１は、直交変調器３の信号合成部２６からＴＸＯ信号を受けると、ＴＸＯ信号を２分岐し、一方のＴＸＯ信号を周波数変換器３３に出力して、他方のＴＸＯ信号を周波数変換器３４に出力する。
直交復調器４の９０度位相差生成部３７は、ａ端子からローカル信号生成部１により生成されたローカル信号と同一周波数の第１の受信ローカル信号を周波数変換器３３に出力する。
また、９０度位相差生成部３７は、モード（１１）であるため、ｂ端子から第１の受信ローカル信号よりも９０度位相が進んでいる第２の受信ローカル信号を周波数変換器３４に出力する。
【００７５】
直交復調器４の周波数変換器３３は、９０度位相差生成部３７のａ端子から出力された第１の受信ローカル信号を用いて、信号分岐部３１により分岐された一方のＴＸＯ信号の周波数を変換し、周波数変換後のＴＸＯ信号であるＲＸＩ信号を信号経路３５に出力する。
直交復調器４の周波数変換器３４は、９０度位相差生成部３７のｂ端子から出力された第２の受信ローカル信号を用いて、信号分岐部３１により分岐された他方のＴＸＯ信号の周波数を変換し、周波数変換後のＴＸＯ信号であるＲＸＱ信号を信号経路３６に出力する。
【００７６】
直交復調器４の周波数変換器３３から出力されたＲＸＩ信号は、信号経路３５を通過する。
これにより、ＲＸＩ信号には、信号経路３５が持つ周波数特性、即ち、通過損失がＧ３の周波数特性と通過位相がθ３の周波数特性とが付加される。
直交復調器４の周波数変換器３４から出力されたＲＸＱ信号は、信号経路３６を通過する。
これにより、ＲＸＱ信号には、信号経路３６が持つ周波数特性、即ち、通過損失がＧ４の周波数特性と通過位相がθ４の周波数特性とが付加される。
【００７７】
受信ベースバンド部５のＡ／Ｄ変換器４１は、信号経路３５を通ってきたＲＸＩ信号をＡ／Ｄ変換し、デジタル信号であるＲＸＩ信号を出力する。
受信ベースバンド部５のＡ／Ｄ変換器４２は、信号経路３６を通ってきたＲＸＱ信号をＡ／Ｄ変換し、デジタル信号であるＲＸＱ信号を出力する。
【００７８】
送信ベースバンド部２のＴＸ制御部５１は、モード（１１）であるため、ＲＸＩＳＷ４６，ＲＸＱＳＷ４７に入力される信号の切替指令として、ａ端子から入力された信号を出力する旨を示す指令をＲＸＩＳＷ４６，ＲＸＱＳＷ４７に出力する。
第２の信号入替器４５のＲＸＩＳＷ４６は、ＴＸ制御部５１から出力された切替指令に基づいて、ａ端子に入力されるＡ／Ｄ変換器４１の出力信号であるＲＸＩ信号をＲＸＩ信号処理部４３に出力する。
第２の信号入替器４５のＲＸＱＳＷ４７は、ＴＸ制御部５１から出力された切替指令に基づいて、ａ端子に入力されるＡ／Ｄ変換器４２の出力信号であるＲＸＱ信号をＲＸＱ信号処理部４４に出力する。
【００７９】
受信ベースバンド部５のＲＸＩ信号処理部４３は、ＲＸＩＳＷ４６からＲＸＩ信号を受けると、そのＲＸＩ信号を計測する。
受信ベースバンド部５のＲＸＱ信号処理部４４は、ＲＸＱＳＷ４７からＲＸＱ信号を受けると、そのＲＸＱ信号を計測する。
ここで、ＲＸＩ信号処理部４３により計測されるＲＸＩ信号は、以下の式（９）で表される。
ＲＸＩ
＝０．５Ａ（Ｇ１×Ｇ３）ｃｏｓ（θ＋（θ１＋θ３））      （９）
また、ＲＸＱ信号処理部４４により計測されるＲＸＱ信号は、以下の式（１０）で表される。
ＲＸＱ
＝０．５Ａ（Ｇ２×Ｇ４）ｓｉｎ（θ＋（θ２＋θ４））      （１０）
【００８０】
次に、送受信機をモード（２１）で動作させて、ＲＸＩ信号とＲＸＱ信号を計測する処理内容を説明する。
モード（２１）は、ＴＸＩＳＷ１４のｂ端子からＴＸＩ信号をＤ／Ａ変換器１７に出力し、ＴＸＱＳＷ１５のｂ端子からＴＸＱ信号をＤ／Ａ変換器１６に出力するモードである。
また、モード（２１）は、ＲＸＩＳＷ４６はａ端子から入力された信号を出力し、ＲＸＱＳＷ４７はａ端子から入力された信号を出力するモードである。
モード（２１）では、９０度位相差生成部２３のｂ端子から出力される第２の送信ローカル信号は、９０度位相差生成部２３のａ端子から出力される第１の送信ローカル信号よりも位相が９０度遅れている信号である。
また、モード（２１）では、９０度位相差生成部３７のｂ端子から出力される第２の受信ローカル信号は、９０度位相差生成部３７のａ端子から出力される第１の受信ローカル信号よりも位相が９０度進んでいる信号である。
【００８１】
送信ベースバンド部２のＴＸＩ信号生成部１１は、送信波のＴＸＩ信号を生成し、ＴＸＩ信号を第１の信号入替器１３のＴＸＩＳＷ１４に出力する。
送信ベースバンド部２のＴＸＱ信号生成部１２は、送信波のＴＸＱ信号を生成し、ＴＸＱ信号を第１の信号入替器１３のＴＸＱＳＷ１５に出力する。
【００８２】
送信ベースバンド部２のＴＸ制御部５１は、モード（２１）であるため、ＴＸＩＳＷ１４，ＴＸＱＳＷ１５から出力される信号の切替指令として、ｂ端子から信号を出力する旨を示す指令をＴＸＩＳＷ１４，ＴＸＱＳＷ１５に出力する。
第１の信号入替器１３のＴＸＩＳＷ１４は、ＴＸ制御部５１から出力された切替指令に基づいて、ｂ端子からＴＸＩ信号生成部１１により生成されたＴＸＩ信号をＤ／Ａ変換器１７に出力する。
第１の信号入替器１３のＴＸＱＳＷ１５は、ＴＸ制御部５１から出力された切替指令に基づいて、ｂ端子からＴＸＱ信号生成部１２により生成されたＴＸＱ信号をＤ／Ａ変換器１６に出力する。
【００８３】
送信ベースバンド部２のＤ／Ａ変換器１６は、ＴＸＱＳＷ１５のｂ端子から出力されたＴＸＱ信号をＤ／Ａ変換し、アナログ信号であるＴＸＱ信号を信号経路２１に出力する。
送信ベースバンド部２のＤ／Ａ変換器１７は、ＴＸＩＳＷ１４のｂ端子から出力されたＴＸＩ信号をＤ／Ａ変換し、アナログ信号であるＴＸＩ信号を信号経路２２に出力する。
【００８４】
送信ベースバンド部２のＤ／Ａ変換器１６から出力されたＴＸＱ信号は、信号経路２１を通過する。
これにより、ＴＸＱ信号には、信号経路２１が持つ周波数特性、即ち、通過損失がＧ１の周波数特性と通過位相がθ１の周波数特性とが付加される。
送信ベースバンド部２のＤ／Ａ変換器１７から出力されたＴＸＩ信号は、信号経路２２を通過する。
これにより、ＴＸＩ信号には、信号経路２２が持つ周波数特性、即ち、通過損失がＧ２の周波数特性と通過位相がθ２の周波数特性とが付加される。
【００８５】
直交変調器３の９０度位相差生成部２３は、ａ端子からローカル信号生成部１により生成されたローカル信号と同一周波数の第１の送信ローカル信号を周波数変換器２４に出力する。
また、９０度位相差生成部２３は、モード（２１）であるため、ｂ端子から第１の送信ローカル信号よりも９０度位相が遅れている第２の送信ローカル信号を周波数変換器２５に出力する。
【００８６】
直交変調器３の周波数変換器２４は、９０度位相差生成部２３のａ端子から出力された第１の送信ローカル信号を用いて、信号経路２１を通ってきたアナログ信号であるＴＸＱ信号の周波数を変換し、周波数変換後のＴＸＱ信号を信号合成部２６に出力する。
直交変調器３の周波数変換器２５は、９０度位相差生成部２３のｂ端子から出力された第２の送信ローカル信号を用いて、信号経路２２を通ってきたアナログ信号であるＴＸＩ信号の周波数を変換し、周波数変換後のＴＸＩ信号を信号合成部２６に出力する。
直交変調器３の信号合成部２６は、周波数変換器２４から出力された周波数変換後のＴＸＱ信号と、周波数変換器２５から出力された周波数変換後のＴＸＩ信号とを合成し、その合成信号であるＴＸＯ信号を出力する。
【００８７】
直交復調器４の信号分岐部３１は、直交変調器３の信号合成部２６からＴＸＯ信号を受けると、ＴＸＯ信号を２分岐し、一方のＴＸＯ信号を周波数変換器３３に出力して、他方のＴＸＯ信号を周波数変換器３４に出力する。
直交復調器４の９０度位相差生成部３７は、ａ端子からローカル信号生成部１により生成されたローカル信号と同一周波数の第１の受信ローカル信号を周波数変換器３３に出力する。
また、９０度位相差生成部３７は、モード（２１）であるため、ｂ端子から第１の受信ローカル信号よりも９０度位相が進んでいる第２の受信ローカル信号を周波数変換器３４に出力する。
【００８８】
直交復調器４の周波数変換器３３は、９０度位相差生成部３７のａ端子から出力された第１の受信ローカル信号を用いて、信号分岐部３１により分岐された一方のＴＸＯ信号の周波数を変換し、周波数変換後のＴＸＯ信号であるＲＸＩ信号を信号経路３５に出力する。
直交復調器４の周波数変換器３４は、９０度位相差生成部３７のｂ端子から出力された第２の受信ローカル信号を用いて、信号分岐部３１により分岐された他方のＴＸＯ信号の周波数を変換し、周波数変換後のＴＸＯ信号であるＲＸＱ信号を信号経路３６に出力する。
【００８９】
直交復調器４の周波数変換器３３から出力されたＲＸＩ信号は、信号経路３５を通過する。
これにより、ＲＸＩ信号には、信号経路３５が持つ周波数特性、即ち、通過損失がＧ３の周波数特性と通過位相がθ３の周波数特性とが付加される。
直交復調器４の周波数変換器３４から出力されたＲＸＱ信号は、信号経路３６を通過する。
これにより、ＲＸＱ信号には、信号経路３６が持つ周波数特性、即ち、通過損失がＧ４の周波数特性と通過位相がθ４の周波数特性とが付加される。
【００９０】
受信ベースバンド部５のＡ／Ｄ変換器４１は、信号経路３５を通ってきたＲＸＩ信号をＡ／Ｄ変換し、デジタル信号であるＲＸＩ信号を出力する。
受信ベースバンド部５のＡ／Ｄ変換器４２は、信号経路３６を通ってきたＲＸＱ信号をＡ／Ｄ変換し、デジタル信号であるＲＸＱ信号を出力する。
【００９１】
送信ベースバンド部２のＴＸ制御部５１は、モード（２１）であるため、ＲＸＩＳＷ４６，ＲＸＱＳＷ４７に入力される信号の切替指令として、ａ端子から入力された信号を出力する旨を示す指令をＲＸＩＳＷ４６，ＲＸＱＳＷ４７に出力する。
第２の信号入替器４５のＲＸＩＳＷ４６は、ＴＸ制御部５１から出力された切替指令に基づいて、ａ端子に入力されるＡ／Ｄ変換器４１の出力信号であるＲＸＩ信号をＲＸＩ信号処理部４３に出力する。
第２の信号入替器４５のＲＸＱＳＷ４７は、ＴＸ制御部５１から出力された切替指令に基づいて、ａ端子に入力されるＡ／Ｄ変換器４２の出力信号であるＲＸＱ信号をＲＸＱ信号処理部４４に出力する。
【００９２】
受信ベースバンド部５のＲＸＩ信号処理部４３は、ＲＸＩＳＷ４６からＲＸＩ信号を受けると、そのＲＸＩ信号を計測する。
受信ベースバンド部５のＲＸＱ信号処理部４４は、ＲＸＱＳＷ４７からＲＸＱ信号を受けると、そのＲＸＱ信号を計測する。
ここで、ＲＸＩ信号処理部４３により計測されるＲＸＩ信号は、以下の式（１１）で表される。
ＲＸＩ
＝０．５Ａ（Ｇ２×Ｇ３）ｃｏｓ（θ＋（θ２＋θ３））      （１１）
また、ＲＸＱ信号処理部４４により計測されるＲＸＱ信号は、以下の式（１２）で表される。
ＲＸＱ
＝０．５Ａ（Ｇ１×Ｇ４）ｓｉｎ（θ＋（θ１＋θ４））      （１２）
【００９３】
次に、送受信機をモード（１２）で動作させて、ＲＸＩ信号とＲＸＱ信号を計測する処理内容を説明する。
モード（１２）は、ＴＸＩＳＷ１４のａ端子からＴＸＩ信号をＤ／Ａ変換器１６に出力し、ＴＸＱＳＷ１５のａ端子からＴＸＱ信号をＤ／Ａ変換器１７に出力するモードである。
また、モード（１２）は、ＲＸＩＳＷ４６はｂ端子から入力された信号を出力し、ＲＸＱＳＷ４７はｂ端子から入力された信号を出力するモードである。
モード（１２）では、９０度位相差生成部２３のｂ端子から出力される第２の送信ローカル信号は、９０度位相差生成部２３のａ端子から出力される第１の送信ローカル信号よりも位相が９０度進んでいる信号である。
また、モード（１２）では、９０度位相差生成部３７のｂ端子から出力される第２の受信ローカル信号は、９０度位相差生成部３７のａ端子から出力される第１の受信ローカル信号よりも位相が９０度遅れている信号である。
【００９４】
送信ベースバンド部２のＴＸＩ信号生成部１１は、送信波のＴＸＩ信号を生成し、ＴＸＩ信号を第１の信号入替器１３のＴＸＩＳＷ１４に出力する。
送信ベースバンド部２のＴＸＱ信号生成部１２は、送信波のＴＸＱ信号を生成し、ＴＸＱ信号を第１の信号入替器１３のＴＸＱＳＷ１５に出力する。
【００９５】
送信ベースバンド部２のＴＸ制御部５１は、モード（１２）であるため、ＴＸＩＳＷ１４，ＴＸＱＳＷ１５から出力される信号の切替指令として、ａ端子から信号を出力する旨を示す指令をＴＸＩＳＷ１４，ＴＸＱＳＷ１５に出力する。
第１の信号入替器１３のＴＸＩＳＷ１４は、ＴＸ制御部５１から出力された切替指令に基づいて、ａ端子からＴＸＩ信号生成部１１により生成されたＴＸＩ信号をＤ／Ａ変換器１６に出力する。
第１の信号入替器１３のＴＸＱＳＷ１５は、ＴＸ制御部５１から出力された切替指令に基づいて、ａ端子からＴＸＱ信号生成部１２により生成されたＴＸＱ信号をＤ／Ａ変換器１７に出力する。
【００９６】
送信ベースバンド部２のＤ／Ａ変換器１６は、ＴＸＩＳＷ１４のａ端子から出力されたＴＸＩ信号をＤ／Ａ変換し、アナログ信号であるＴＸＩ信号を信号経路２１に出力する。
送信ベースバンド部２のＤ／Ａ変換器１７は、ＴＸＱＳＷ１５のａ端子から出力されたＴＸＱ信号をＤ／Ａ変換し、アナログ信号であるＴＸＱ信号を信号経路２２に出力する。
【００９７】
送信ベースバンド部２のＤ／Ａ変換器１６から出力されたＴＸＩ信号は、信号経路２１を通過する。
これにより、ＴＸＩ信号には、信号経路２１が持つ周波数特性、即ち、通過損失がＧ１の周波数特性と通過位相がθ１の周波数特性とが付加される。
送信ベースバンド部２のＤ／Ａ変換器１７から出力されたＴＸＱ信号は、信号経路２２を通過する。
これにより、ＴＸＱ信号には、信号経路２２が持つ周波数特性、即ち、通過損失がＧ２の周波数特性と通過位相がθ２の周波数特性とが付加される。
【００９８】
直交変調器３の９０度位相差生成部２３は、ａ端子からローカル信号生成部１により生成されたローカル信号と同一周波数の第１の送信ローカル信号を周波数変換器２４に出力する。
また、９０度位相差生成部２３は、モード（１２）であるため、ｂ端子から第１の送信ローカル信号よりも９０度位相が進んでいる第２の送信ローカル信号を周波数変換器２５に出力する。
【００９９】
直交変調器３の周波数変換器２４は、９０度位相差生成部２３のａ端子から出力された第１の送信ローカル信号を用いて、信号経路２１を通ってきたアナログ信号であるＴＸＩ信号の周波数を変換し、周波数変換後のＴＸＩ信号を信号合成部２６に出力する。
直交変調器３の周波数変換器２５は、９０度位相差生成部２３のｂ端子から出力された第２の送信ローカル信号を用いて、信号経路２２を通ってきたアナログ信号であるＴＸＱ信号の周波数を変換し、周波数変換後のＴＸＱ信号を信号合成部２６に出力する。
直交変調器３の信号合成部２６は、周波数変換器２４から出力された周波数変換後のＴＸＩ信号と、周波数変換器２５から出力された周波数変換後のＴＸＱ信号とを合成し、その合成信号であるＴＸＯ信号を出力する。
【０１００】
直交復調器４の信号分岐部３１は、直交変調器３の信号合成部２６からＴＸＯ信号を受けると、ＴＸＯ信号を２分岐し、一方のＴＸＯ信号を周波数変換器３３に出力して、他方のＴＸＯ信号を周波数変換器３４に出力する。
直交復調器４の９０度位相差生成部３７は、ａ端子からローカル信号生成部１により生成されたローカル信号と同一周波数の第１の受信ローカル信号を周波数変換器３３に出力する。
また、９０度位相差生成部３７は、モード（１２）であるため、ｂ端子から第１の受信ローカル信号よりも９０度位相が遅れている第２の受信ローカル信号を周波数変換器３４に出力する。
【０１０１】
直交復調器４の周波数変換器３３は、９０度位相差生成部３７のａ端子から出力された第１の受信ローカル信号を用いて、信号分岐部３１により分岐された一方のＴＸＯ信号の周波数を変換し、周波数変換後のＴＸＯ信号であるＲＸＱ信号を信号経路３５に出力する。
直交復調器４の周波数変換器３４は、９０度位相差生成部３７のｂ端子から出力された第２の受信ローカル信号を用いて、信号分岐部３１により分岐された他方のＴＸＯ信号の周波数を変換し、周波数変換後のＴＸＯ信号であるＲＸＩ信号を信号経路３６に出力する。
【０１０２】
直交復調器４の周波数変換器３３から出力されたＲＸＱ信号は、信号経路３５を通過する。
これにより、ＲＸＱ信号には、信号経路３５が持つ周波数特性、即ち、通過損失がＧ３の周波数特性と通過位相がθ３の周波数特性とが付加される。
直交復調器４の周波数変換器３４から出力されたＲＸＩ信号は、信号経路３６を通過する。
これにより、ＲＸＩ信号には、信号経路３６が持つ周波数特性、即ち、通過損失がＧ４の周波数特性と通過位相がθ４の周波数特性とが付加される。
【０１０３】
受信ベースバンド部５のＡ／Ｄ変換器４１は、信号経路３５を通ってきたＲＸＱ信号をＡ／Ｄ変換し、デジタル信号であるＲＸＱ信号を出力する。
受信ベースバンド部５のＡ／Ｄ変換器４２は、信号経路３６を通ってきたＲＸＩ信号をＡ／Ｄ変換し、デジタル信号であるＲＸＩ信号を出力する。
【０１０４】
送信ベースバンド部２のＴＸ制御部５１は、モード（１２）であるため、ＲＸＩＳＷ４６，ＲＸＱＳＷ４７に入力される信号の切替指令として、ｂ端子から入力された信号を出力する旨を示す指令をＲＸＩＳＷ４６，ＲＸＱＳＷ４７に出力する。
第２の信号入替器４５のＲＸＩＳＷ４６は、ＴＸ制御部５１から出力された切替指令に基づいて、ｂ端子に入力されるＡ／Ｄ変換器４２の出力信号であるＲＸＩ信号をＲＸＩ信号処理部４３に出力する。
第２の信号入替器４５のＲＸＱＳＷ４７は、ＴＸ制御部５１から出力された切替指令に基づいて、ｂ端子に入力されるＡ／Ｄ変換器４１の出力信号であるＲＸＱ信号をＲＸＱ信号処理部４４に出力する。
【０１０５】
受信ベースバンド部５のＲＸＩ信号処理部４３は、ＲＸＩＳＷ４６からＲＸＩ信号を受けると、そのＲＸＩ信号を計測する。
受信ベースバンド部５のＲＸＱ信号処理部４４は、ＲＸＱＳＷ４７からＲＸＱ信号を受けると、そのＲＸＱ信号を計測する。
ここで、ＲＸＩ信号処理部４３により計測されるＲＸＩ信号は、以下の式（１３）で表される。
ＲＸＩ
＝０．５Ａ（Ｇ１×Ｇ４）ｃｏｓ（θ＋（θ１＋θ４））      （１３）
また、ＲＸＱ信号処理部４４により計測されるＲＸＱ信号は、以下の式（１４）で表される。
ＲＸＱ
＝０．５Ａ（Ｇ２×Ｇ３）ｓｉｎ（θ＋（θ２＋θ３））      （１４）
【０１０６】
次に、送受信機をモード（２２）で動作させて、ＲＸＩ信号とＲＸＱ信号を計測する処理内容を説明する。
モード（２２）は、ＴＸＩＳＷ１４のｂ端子からＴＸＩ信号をＤ／Ａ変換器１７に出力し、ＴＸＱＳＷ１５のｂ端子からＴＸＱ信号をＤ／Ａ変換器１６に出力するモードである。
また、モード（２２）は、ＲＸＩＳＷ４６はｂ端子から入力された信号を出力し、ＲＸＱＳＷ４７はｂ端子から入力された信号を出力するモードである。
モード（２２）では、９０度位相差生成部２３のｂ端子から出力される第２の送信ローカル信号は、９０度位相差生成部２３のａ端子から出力される第１の送信ローカル信号よりも位相が９０度遅れている信号である。
また、モード（２２）では、９０度位相差生成部３７のｂ端子から出力される第２の受信ローカル信号は、９０度位相差生成部３７のａ端子から出力される第１の受信ローカル信号よりも位相が９０度遅れている信号である。
【０１０７】
送信ベースバンド部２のＴＸＩ信号生成部１１は、送信波のＴＸＩ信号を生成し、ＴＸＩ信号を第１の信号入替器１３のＴＸＩＳＷ１４に出力する。
送信ベースバンド部２のＴＸＱ信号生成部１２は、送信波のＴＸＱ信号を生成し、ＴＸＱ信号を第１の信号入替器１３のＴＸＱＳＷ１５に出力する。
【０１０８】
送信ベースバンド部２のＴＸ制御部５１は、モード（２２）であるため、ＴＸＩＳＷ１４，ＴＸＱＳＷ１５から出力される信号の切替指令として、ｂ端子から信号を出力する旨を示す指令をＴＸＩＳＷ１４，ＴＸＱＳＷ１５に出力する。
第１の信号入替器１３のＴＸＩＳＷ１４は、ＴＸ制御部５１から出力された切替指令に基づいて、ｂ端子からＴＸＩ信号生成部１１により生成されたＴＸＩ信号をＤ／Ａ変換器１７に出力する。
第１の信号入替器１３のＴＸＱＳＷ１５は、ＴＸ制御部５１から出力された切替指令に基づいて、ｂ端子からＴＸＱ信号生成部１２により生成されたＴＸＱ信号をＤ／Ａ変換器１６に出力する。
【０１０９】
送信ベースバンド部２のＤ／Ａ変換器１６は、ＴＸＱＳＷ１５のｂ端子から出力されたＴＸＱ信号をＤ／Ａ変換し、アナログ信号であるＴＸＱ信号を信号経路２１に出力する。
送信ベースバンド部２のＤ／Ａ変換器１７は、ＴＸＩＳＷ１４のｂ端子から出力されたＴＸＩ信号をＤ／Ａ変換し、アナログ信号であるＴＸＩ信号を信号経路２２に出力する。
【０１１０】
送信ベースバンド部２のＤ／Ａ変換器１６から出力されたＴＸＱ信号は、信号経路２１を通過する。
これにより、ＴＸＱ信号には、信号経路２１が持つ周波数特性、即ち、通過損失がＧ１の周波数特性と通過位相がθ１の周波数特性とが付加される。
送信ベースバンド部２のＤ／Ａ変換器１７から出力されたＴＸＩ信号は、信号経路２２を通過する。
これにより、ＴＸＩ信号には、信号経路２２が持つ周波数特性、即ち、通過損失がＧ２の周波数特性と通過位相がθ２の周波数特性とが付加される。
【０１１１】
直交変調器３の９０度位相差生成部２３は、ａ端子からローカル信号生成部１により生成されたローカル信号と同一周波数の第１の送信ローカル信号を周波数変換器２４に出力する。
また、９０度位相差生成部２３は、モード（２２）であるため、ｂ端子から第１の送信ローカル信号よりも９０度位相が遅れている第２の送信ローカル信号を周波数変換器２５に出力する。
【０１１２】
直交変調器３の周波数変換器２４は、９０度位相差生成部２３のａ端子から出力された第１の送信ローカル信号を用いて、信号経路２１を通ってきたアナログ信号であるＴＸＱ信号の周波数を変換し、周波数変換後のＴＸＱ信号を信号合成部２６に出力する。
直交変調器３の周波数変換器２５は、９０度位相差生成部２３のｂ端子から出力された第２の送信ローカル信号を用いて、信号経路２２を通ってきたアナログ信号であるＴＸＩ信号の周波数を変換し、周波数変換後のＴＸＩ信号を信号合成部２６に出力する。
直交変調器３の信号合成部２６は、周波数変換器２４から出力された周波数変換後のＴＸＱ信号と、周波数変換器２５から出力された周波数変換後のＴＸＩ信号とを合成し、その合成信号であるＴＸＯ信号を出力する。
【０１１３】
直交復調器４の信号分岐部３１は、直交変調器３の信号合成部２６からＴＸＯ信号を受けると、ＴＸＯ信号を２分岐し、一方のＴＸＯ信号を周波数変換器３３に出力して、他方のＴＸＯ信号を周波数変換器３４に出力する。
直交復調器４の９０度位相差生成部３７は、ａ端子からローカル信号生成部１により生成されたローカル信号と同一周波数の第１の受信ローカル信号を周波数変換器３３に出力する。
また、９０度位相差生成部３７は、モード（２２）であるため、ｂ端子から第１の受信ローカル信号よりも９０度位相が遅れている第２の受信ローカル信号を周波数変換器３４に出力する。
【０１１４】
直交復調器４の周波数変換器３３は、９０度位相差生成部３７のａ端子から出力された第１の受信ローカル信号を用いて、信号分岐部３１により分岐された一方のＴＸＯ信号の周波数を変換し、周波数変換後のＴＸＯ信号であるＲＸＱ信号を信号経路３５に出力する。
直交復調器４の周波数変換器３４は、９０度位相差生成部３７のｂ端子から出力された第２の受信ローカル信号を用いて、信号分岐部３１により分岐された他方のＴＸＯ信号の周波数を変換し、周波数変換後のＴＸＯ信号であるＲＸＩ信号を信号経路３６に出力する。
【０１１５】
直交復調器４の周波数変換器３３から出力されたＲＸＱ信号は、信号経路３５を通過する。
これにより、ＲＸＱ信号には、信号経路３５が持つ周波数特性、即ち、通過損失がＧ３の周波数特性と通過位相がθ３の周波数特性とが付加される。
直交復調器４の周波数変換器３４から出力されたＲＸＩ信号は、信号経路３６を通過する。
これにより、ＲＸＩ信号には、信号経路３６が持つ周波数特性、即ち、通過損失がＧ４の周波数特性と通過位相がθ４の周波数特性とが付加される。
【０１１６】
受信ベースバンド部５のＡ／Ｄ変換器４１は、信号経路３５を通ってきたＲＸＱ信号をＡ／Ｄ変換し、デジタル信号であるＲＸＱ信号を出力する。
受信ベースバンド部５のＡ／Ｄ変換器４２は、信号経路３６を通ってきたＲＸＩ信号をＡ／Ｄ変換し、デジタル信号であるＲＸＩ信号を出力する。
【０１１７】
送信ベースバンド部２のＴＸ制御部５１は、モード（２２）であるため、ＲＸＩＳＷ４６，ＲＸＱＳＷ４７に入力される信号の切替指令として、ｂ端子に入力された信号を出力する旨を示す指令をＲＸＩＳＷ４６，ＲＸＱＳＷ４７に出力する。
第２の信号入替器４５のＲＸＩＳＷ４６は、ＴＸ制御部５１から出力された切替指令に基づいて、ｂ端子に入力されるＡ／Ｄ変換器４２の出力信号であるＲＸＩ信号をＲＸＩ信号処理部４３に出力する。
第２の信号入替器４５のＲＸＱＳＷ４７は、ＴＸ制御部５１から出力された切替指令に基づいて、ｂ端子に入力されるＡ／Ｄ変換器４１の出力信号であるＲＸＱ信号をＲＸＱ信号処理部４４に出力する。
【０１１８】
受信ベースバンド部５のＲＸＩ信号処理部４３は、ＲＸＩＳＷ４６からＲＸＩ信号を受けると、そのＲＸＩ信号を計測する。
受信ベースバンド部５のＲＸＱ信号処理部４４は、ＲＸＱＳＷ４７からＲＸＱ信号を受けると、そのＲＸＱ信号を計測する。
ここで、ＲＸＩ信号処理部４３により計測されるＲＸＩ信号は、以下の式（１５）で表される。
ＲＸＩ
＝０．５Ａ（Ｇ２×Ｇ４）ｃｏｓ（θ＋（θ２＋θ４））      （１５）
また、ＲＸＱ信号処理部４４により計測されるＲＸＱ信号は、以下の式（１６）で表される。
ＲＸＱ
＝０．５Ａ（Ｇ１×Ｇ３）ｓｉｎ（θ＋（θ１＋θ３））      （１６）
【０１１９】
ＴＸ制御部５１は、モード（１１）、モード（２１）、モード（１２）及びモード（２２）でのＲＸＩ信号とＲＸＱ信号の計測が行われると、ＴＸＯ信号に生じるイメージ成分の解消を図る場合、信号経路２１の周波数特性と信号経路２２の周波数特性との間の差分を算出する。
即ち、ＴＸ制御部５１は、例えば、モード（１１）でＲＸＩ信号処理部４３により計測された式（９）が示すＲＸＩ信号と、モード（２１）でＲＸＩ信号処理部４３により計測された式（１１）が示すＲＸＩ信号とから、信号経路２１の通過損失Ｇ１と信号経路２２の通過損失Ｇ２との比である振幅比（Ｇ１／Ｇ２）を導出する。
振幅比（Ｇ１／Ｇ２）は、以下の式（１７）に示すように、式（９）が示すＲＸＩ信号の振幅である０．５Ａ（Ｇ１×Ｇ３）を式（１１）が示すＲＸＩ信号の振幅である０．５Ａ（Ｇ２×Ｇ３）で除算することで、導出することができる。
Ｇ１／Ｇ２
＝（０．５Ａ（Ｇ１×Ｇ３））／（０．５Ａ（Ｇ２×Ｇ３））  （１７）
【０１２０】
また、ＴＸ制御部５１は、モード（１１）でＲＸＩ信号処理部４３により計測された式（９）が示すＲＸＩ信号と、モード（２１）でＲＸＩ信号処理部４３により計測された式（１１）が示すＲＸＩ信号とから、信号経路２１の通過位相θ１と信号経路２２の通過位相θ２との差である位相差（θ１−θ２）を導出する。
位相差（θ１−θ２）は、以下の式（１８）に示すように、式（９）が示すＲＸＩ信号の位相であるθ＋（θ１＋θ３）から、式（１１）が示すＲＸＩ信号の位相であるθ＋（θ２＋θ３）を減算することで、導出することができる。
θ１−θ２
＝（θ＋（θ１＋θ３））−（θ＋（θ２＋θ３））      （１８）
【０１２１】
ここでは、ＴＸ制御部５１が、振幅比（Ｇ１／Ｇ２）及び位相差（θ１−θ２）を導出する際、式（９）が示すＲＸＩ信号と、式（１１）が示すＲＸＩ信号とを用いているが、式（１０）が示すＲＸＱ信号と、式（１２）が示すＲＸＱ信号とを用いるようにしてもよい。
即ち、ＴＸ制御部５１は、モード（１１）でＲＸＱ信号処理部４４により計測された式（１０）が示すＲＸＱ信号と、モード（２１）でＲＸＱ信号処理部４４により計測された式（１２）が示すＲＸＱ信号とから、振幅比（Ｇ１／Ｇ２）と位相差（θ１−θ２）を導出するようにしてもよい。
振幅比（Ｇ１／Ｇ２）は、以下の式（１９）に示すように、式（１２）が示すＲＸＱ信号の振幅である０．５Ａ（Ｇ１×Ｇ４）を式（１０）が示すＲＸＱ信号の振幅である０．５Ａ（Ｇ２×Ｇ４）で除算することで、導出することができる。
Ｇ１／Ｇ２
＝（０．５Ａ（Ｇ１×Ｇ４）／（０．５Ａ（Ｇ２×Ｇ４））  （１９）
位相差（θ１−θ２）は、以下の式（２０）に示すように、式（１２）が示すＲＸＱ信号の位相であるθ＋（θ１＋θ４）から、式（１０）が示すＲＸＱ信号の位相であるθ＋（θ２＋θ４）を減算することで、導出することができる。
θ１−θ２
＝（θ＋（θ１＋θ４））−（θ＋（θ２＋θ４））      （２０）
【０１２２】
ＴＸ制御部５１は、振幅比（Ｇ１／Ｇ２）と位相差（θ１−θ２）を導出すると、振幅比（Ｇ１／Ｇ２）が１になり、かつ、位相差（θ１−θ２）が０になるように、ＴＸＩ信号生成部１１のイコライザ処理及びＴＸＱ信号生成部１２のイコライザ処理を制御する。
即ち、ＴＸ制御部５１は、振幅比（Ｇ１／Ｇ２）が１になり、かつ、位相差（θ１−θ２）が０になるように、ＴＸＩ信号生成部１１により生成されるＴＸＩ信号の振幅及び位相と、ＴＸＱ信号生成部１２により生成されるＴＸＱ信号の振幅及び位相とを制御する。
これにより、アナログ回路であるローカル信号生成部１が、直交変調器３と直交復調器４で共通に使用される場合でも、信号経路２１が持つ周波数特性と、信号経路２２が持つ周波数特性との差分を補償することができる。
信号経路２１が持つ周波数特性と、信号経路２２が持つ周波数特性との差分が補償されることで、ＴＸＯ信号におけるイメージ成分の発生を抑えることができる。
【０１２３】
また、ＴＸ制御部５１は、信号経路３５の周波数特性と信号経路３６の周波数特性との間の差分に伴う受信特性の劣化の解消を図る場合、信号経路３５の周波数特性と信号経路３６の周波数特性との間の差分を算出する。
即ち、ＴＸ制御部５１は、例えば、モード（１２）でＲＸＩ信号処理部４３により計測された式（１３）が示すＲＸＩ信号と、モード（１１）でＲＸＩ信号処理部４３により計測された式（９）が示すＲＸＩ信号とから、信号経路３５の通過損失Ｇ３と信号経路３６の通過損失Ｇ４との比である振幅比（Ｇ３／Ｇ４）を導出する。
振幅比（Ｇ３／Ｇ４）は、以下の式（２１）に示すように、式（９）が示すＲＸＩ信号の振幅である０．５Ａ（Ｇ１×Ｇ３）を式（１３）が示すＲＸＩ信号の振幅である０．５Ａ（Ｇ１×Ｇ４）で除算することで、導出することができる。
Ｇ３／Ｇ４
＝（０．５Ａ（Ｇ１×Ｇ３））／（０．５Ａ（Ｇ１×Ｇ４））  （２１）
位相差（θ３−θ４）は、以下の式（２２）に示すように、式（９）が示すＲＸＩ信号の位相であるθ＋（θ１＋θ３）から、式（１３）が示すＲＸＩ信号の位相であるθ＋（θ１＋θ４）を減算することで、導出することができる。
θ３−θ４
＝（θ＋（θ１＋θ３））−（θ＋（θ１＋θ４））      （２２）
【０１２４】
ここでは、ＴＸ制御部５１が、振幅比（Ｇ３／Ｇ４）及び位相差（θ３−θ４）を導出する際、式（１３）が示すＲＸＩ信号と、式（９）が示すＲＸＩ信号とを用いているが、式（１４）が示すＲＸＱ信号と、式（１０）が示すＲＸＱ信号とを用いるようにしてもよい。
即ち、ＴＸ制御部５１は、モード（１２）でＲＸＱ信号処理部４４により計測された式（１４）が示すＲＸＱ信号と、モード（１１）でＲＸＱ信号処理部４４により計測された式（１０）が示すＲＸＱ信号とから、振幅比（Ｇ３／Ｇ４）と位相差（θ３−θ４）を導出するようにしてもよい。
振幅比（Ｇ３／Ｇ４）は、以下の式（２３）に示すように、式（１４）が示すＲＸＱ信号の振幅である０．５Ａ（Ｇ２×Ｇ３）を式（１０）が示すＲＸＱ信号の振幅である０．５Ａ（Ｇ２×Ｇ４）で除算することで、導出することができる。
Ｇ３／Ｇ４
＝（０．５Ａ（Ｇ２×Ｇ３））／（０．５Ａ（Ｇ２×Ｇ４））  （２３）
位相差（θ３−θ４）は、以下の式（２４）に示すように、式（１４）が示すＲＸＱ信号の位相であるθ＋（θ２＋θ３）から、式（１０）が示すＲＸＱ信号の位相であるθ＋（θ２＋θ４）を減算することで、導出することができる。
θ３−θ４
＝（θ＋（θ２＋θ３））−（θ＋（θ２＋θ４））      （２４）
【０１２５】
ここで、振幅比（Ｇ３／Ｇ４）と位相差（θ３−θ４）を導出すると、振幅比（Ｇ３／Ｇ４）が１になり、かつ、位相差（θ３−θ４）が０になるように、ＲＸＩ信号処理部４３のイコライザ処理及びＲＸＱ信号処理部４４のイコライザ処理を制御する。
即ち、振幅比（Ｇ３／Ｇ４）が１になり、かつ、位相差（θ３−θ４）が０になるように、ＲＸＩ信号処理部４３により信号処理されるＲＸＩ信号の振幅及び位相と、ＲＸＱ信号処理部４４により信号処理されるＲＸＱ信号の振幅及び位相とを制御する。
これにより、アナログ回路であるローカル信号生成部１が、直交変調器３と直交復調器４で共通に使用される場合でも、信号経路３５が持つ周波数特性と、信号経路３６が持つ周波数特性との差分を補償することができる。
信号経路３５が持つ周波数特性と、信号経路３６が持つ周波数特性との差分が補償されることで、差分に伴う受信特性の劣化を抑えることができる。
【０１２６】
以上で明らかなように、この実施の形態２によれば、信号経路３５及び信号経路３６から受信ベースバンド部５に出力される信号を入れ替える第２の信号入替器４５を備え、ＴＸ制御部５１が、第２の信号入替器４５による信号入替前及び信号入替後の受信ベースバンド部５の計測結果に基づいて、送信ベースバンド部２におけるＴＸＩ信号及びＴＸＱ信号の生成、および受信ベースバンド部５におけるＲＸＩ信号及びＲＸＱ信号の信号処理を制御するように構成している。
これにより、送受信機は、上記実施の形態１と同様の効果が得られる他に、信号経路３５の周波数特性と信号経路３６の周波数特性との間の差分に伴う受信特性の劣化を抑えることができる効果が得られる。
【０１２７】
実施の形態３．
ローカル信号生成部１と直交変調器３の９０度位相差生成部２３とを結ぶ配線の長さと、ローカル信号生成部１と直交復調器４の９０度位相差生成部３２とを結ぶ配線の長さとが等しい場合、９０度位相差生成部２３に入力されるローカル信号と、９０度位相差生成部３２に入力されるローカル信号との位相が等しくなる。
しかし、双方の配線の長さが異なる場合、９０度位相差生成部２３に入力されるローカル信号と、９０度位相差生成部３２に入力されるローカル信号との位相が等しくなくなり、送受信機の通信特性が劣化する。
この実施の形態３では、双方の配線の長さが異なる場合でも、通信特性の劣化を抑えることが可能な送受信機について説明する。
【０１２８】
図３はこの発明の実施の形態３による送受信機を示す構成図であり、図３において、図１と同一符号は同一または相当部分を示すので説明を省略する。
遅延配線６１はローカル信号生成部１と直交変調器３の９０度位相差生成部２３とを結ぶ配線の長さと、ローカル信号生成部１と直交復調器４の９０度位相差生成部３２とを結ぶ配線の長さとの差分に相当する長さの線路である。
これにより、直交変調器３の９０度位相差生成部２３に入力されるローカル信号の位相よりも、直交復調器４の９０度位相差生成部３２に入力されるローカル信号の位相がθｄだけ遅れる。
【０１２９】
位相補正部６２は移相器制御部６３及び移相器６４を備えている。
位相補正部６２はＲＸＩ信号処理部４３により計測されたＲＸＩ信号とＲＸＱ信号処理部４４により計測されたＲＸＱ信号とから、ローカル信号生成部１から直交変調器３の９０度位相差生成部２３に与えられるローカル信号と、ローカル信号生成部１から直交復調器４の９０度位相差生成部３２に与えられるローカル信号との位相差θｄに対応する移相量−θｐを特定する。
また、位相補正部６２は特定した移相量−θｐに従って直交復調器４の９０度位相差生成部３２に与えられるローカル信号の位相を補正する。
【０１３０】
移相器制御部６３はＲＸＩ信号処理部４３により計測されたＲＸＩ信号とＲＸＱ信号処理部４４により計測されたＲＸＱ信号とから位相差θｄに対応する移相量−θｐ＝θｄを特定し、特定した移相量−θｐに従って移相器６４の通過位相を−θｄに設定する。
移相器６４はローカル信号生成部１から出力されたのち、遅延配線６１を通過したローカル信号の位相を移相量−θｐだけ移相する。即ち、移相器６４は遅延配線６１を通過したローカル信号の位相をθｐだけ進める。
【０１３１】
この実施の形態３では、遅延配線６１及び位相補正部６２が図１の送受信機に適用される例を説明するが、遅延配線６１及び位相補正部６２が図２の送受信機に適用されるものであってもよい。
【０１３２】
次に動作について説明する。
この実施の形態３では、位相補正部６２がローカル信号の位相を補正する場合、例えば、送受信機を上記実施の形態１で説明したモード（１）で動作させて、ＲＸＩ信号とＲＸＱ信号を計測する。
送信ベースバンド部２のＴＸ制御部５０は、モード（１）であるため、ＴＸＩＳＷ１４，ＴＸＱＳＷ１５から出力される信号の切替指令として、ａ端子から信号を出力する旨を示す指令をＴＸＩＳＷ１４，ＴＸＱＳＷ１５に出力する。
第１の信号入替器１３のＴＸＩＳＷ１４は、ＴＸ制御部５０から出力された切替指令に基づいて、ａ端子からＴＸＩ信号生成部１１により生成されたＴＸＩ信号をＤ／Ａ変換器１６に出力する。
第１の信号入替器１３のＴＸＱＳＷ１５は、ＴＸ制御部５０から出力された切替指令に基づいて、ａ端子からＴＸＱ信号生成部１２により生成されたＴＸＱ信号をＤ／Ａ変換器１７に出力する。
【０１３３】
送受信機をモード（１）で動作させる場合、上記実施の形態１と同様に、ＲＸＩ信号がＲＸＩ信号処理部４３によって計測され、ＲＸＱ信号がＲＸＱ信号処理部４４によって計測される。
ただし、この実施の形態３では、遅延配線６１の影響があるため、ＲＸＩ信号処理部４３により計測されるＲＸＩ信号は、以下の式（２５）のように表される。また、ＲＸＱ信号処理部４４により計測されるＲＸＱ信号は、以下の式（２６）のように表される。
ＲＸＩ＝０．５Ａ（（Ｇ１×Ｇ３）×ｃｏｓ（θ＋（θ１＋θ３））×ｃｏｓθｄ＋（Ｇ２×Ｇ３）×ｓｉｎ（θ＋（θ２＋θ３））×ｓｉｎθｄ）
（２５）
ＲＸＱ＝０．５Ａ（−（Ｇ１×Ｇ４）×ｃｏｓ（θ＋（θ１＋θ４））×ｓｉｎθｄ＋（Ｇ２×Ｇ４）×ｓｉｎ（θ＋（θ２＋θ４））×ｃｏｓθｄ）
（２６）
【０１３４】
この実施の形態３では、遅延配線６１の影響による位相差θｄに対応する移相量−θｐを特定することができるようにするため、ＴＸ制御部５０は、ＴＸＩ信号生成部１１の出力信号であるＴＸＩ信号の振幅が０になるように、ＴＸＩ信号生成部１１を制御する。
ＴＸＩ信号生成部１１の出力信号であるＴＸＩ信号が０の場合、ＲＸＩ信号処理部４３により計測されるＲＸＩ信号は、以下の式（２７）のように表される。また、ＲＸＱ信号処理部４４により計測されるＲＸＱ信号は、以下の式（２８）のように表される。
ＲＸＩ
＝０．５Ａ（（Ｇ２×Ｇ３）×ｓｉｎ（θ＋（θ２＋θ３））×ｓｉｎθｄ）                                  （２７）
ＲＸＱ＝０．５Ａ（（Ｇ２×Ｇ４）×ｓｉｎ（θ＋（θ２＋θ４））×ｃｏｓθｄ）                                        （２８）
【０１３５】
位相補正部６２の移相器制御部６３は、ＲＸＩ信号処理部４３により計測される式（２７）が示すＲＸＩ信号が０（ｓｉｎθｄ＝０）になるように、移相器６４の移相量−θｐ、即ち、移相器６４の通過位相−θｄを調整する。この場合、θｄ−θｐは０度又は１８０度になる。
ｓｉｎθｄが０になるように調整されることで、ＲＸＱ信号処理部４４により計測されるＲＸＱ信号は、以下の式（２９）のようになる。
ＲＸＱ＝０．５Ａ（（Ｇ２×Ｇ４）×ｓｉｎ（θ＋（θ２＋θ４））×ｃｏｓ（θｄ−θｐ）                                        （２９）
【０１３６】
ここで、式（２９）に示すＲＸＱのθの変化に対する回転方向をＲＸＱ信号処理部４４で計測すると、θｄ−θｐが０度か１８０度かを判別できる。その結果から、θｄ−θｐが１８０度でなく０度となるよう−θｐを設定する。
位相補正部６２の移相器制御部６３は、移相器６４の移相量−θｐを調整しながら、ＲＸＩ信号処理部４３により計測される式（２７）が示すＲＸＩ信号が０であるか否かを判別する。
移相器制御部６３は、その判別結果に基づいて、式（２７）が示すＲＸＩ信号が０となるときの移相量−θｐを特定し、特定した移相量−θｐに従って移相器６４の通過位相を−θｄに設定する。
位相補正部６２の移相器６４は、ローカル信号生成部１から出力されたのち、遅延配線６１を通過したローカル信号の位相を移相量−θｐだけ移相する。
これにより、直交変調器３の９０度位相差生成部２３に入力されるローカル信号の位相と、直交復調器４の９０度位相差生成部３２に入力されるローカル信号の位相とが等しくなる。
この結果、送受信機が例えばモード（１）で動作された場合、ＲＸＩ信号処理部４３により計測されるＲＸＩ信号は、上記実施の形態１と同様に、式（１）で表される。
また、ＲＸＱ信号処理部４４により計測されたＲＸＱ信号は、上記実施の形態１と同様に、式（２）で表される。
【０１３７】
以上で明らかなように、この実施の形態３によれば、受信ベースバンド部５の計測結果から、ローカル信号生成部１から直交変調器３の９０度位相差生成部２３に与えられるローカル信号と、ローカル信号生成部１から直交復調器４の９０度位相差生成部３２に与えられるローカル信号との位相差θｄに対応する移相量−θｐを特定し、特定した移相量−θｐに従って直交復調器４の９０度位相差生成部３２に与えられるローカル信号の位相を補正する位相補正部６２を備えるように構成する。
これにより、直交変調器３の９０度位相差生成部２３に与えられるローカル信号と、直交復調器４の９０度位相差生成部３２に与えられるローカル信号との間に位相差θｄがある場合でも、通信特性の劣化を抑えることが可能な送受信機を得ることができる。
【０１３８】
この実施の形態３では、ローカル信号生成部１と直交復調器４の間に遅延配線６１が存在する例を示しているが、図４に示すように、ローカル信号生成部１と直交変調器３の間に遅延配線６１が存在するものであってもよい。
図４はこの発明の実施の形態３による他の送受信機を示す構成図であり、図４において、図３と同一符号は同一または相当部分を示すので説明を省略する。
図４の例では、位相補正部６２の移相器６４は、ローカル信号生成部１と直交変調器３の間に設けられている。
【０１３９】
実施の形態４．
上記実施の形態１〜３では、送信ベースバンド部２と直交変調器３の組が１つである例を示したが、この実施の形態４では、送信ベースバンド部２と直交変調器３の組が複数ある例を説明する。
【０１４０】
図５はこの発明の実施の形態４による送受信機を示す構成図であり、図５において、図１と同一符号は同一または相当部分を示すので説明を省略する。
図５では、送信ベースバンド部２と直交変調器３の組が２つである例を示しているが、送信ベースバンド部２と直交変調器３の組が３つ以上であってもよい。
送信ベースバンド部２−１，２−２は、図１の送信ベースバンド部２と同様の送信ベースバンド部である。
直交変調器３−１，３−２は、図１の直交変調器３と同様の直交変調器である。
ただし、直交変調器３−１における信号経路２１，２２の周波数特性は、図１の直交変調器３における信号経路２１，２２の周波数特性と同じであるが、直交変調器３−２における信号経路２１，２２の周波数特性は、図１の直交変調器３における信号経路２１，２２の周波数特性と異なっているものとする。
この実施の形態４では、直交変調器３−２における信号経路２１は通過損失の周波数特性がＧ５で、通過位相の周波数特性がθ５の経路であり、直交変調器３−２における信号経路２２は通過損失の周波数特性がＧ６で、通過位相の周波数特性がθ６の経路であるものとする。
【０１４１】
信号選択部７０はａ端子が直交変調器３−１の出力端子と接続され、ｂ端子が直交変調器３−２の出力端子と接続されている。
信号選択部７０は直交変調器３−１から出力されたＴＸＯ信号（１）と、直交変調器３−２から出力されたＴＸＯ信号（２）とのうち、いずれかのＴＸＯ信号を選択し、選択したＴＸＯ信号を直交復調器４に出力する。図５では、信号選択部７０を「ＳＷ」のように表記している。
送信ベースバンド部２−１，２−２に実装されているＴＸ制御部５０のうち、信号選択部７０により選択されたＴＸＯ信号の生成元のＴＸＩ信号及びＴＸＱ信号を生成している送信ベースバンド部２に実装されているＴＸ制御部５０は、当該送信ベースバンド部２におけるＴＸＩ信号及びＴＸＱ信号の生成を制御する。
【０１４２】
この実施の形態４では、送信ベースバンド部２−１，２−２、直交変調器３−１，３−２及び信号選択部７０が図１の送受信機に適用される例を説明するが、送信ベースバンド部２−１，２−２、直交変調器３−１，３−２及び信号選択部７０が図２、図３又は図４の送受信機に適用されるものであってもよい。
【０１４３】
次に動作について説明する。
送信ベースバンド部２−１のＴＸ制御部５０は、例えば、送受信機のモードをモード（１）にして、ａ端子から信号を出力する旨を示す指令をＴＸＩＳＷ１４，ＴＸＱＳＷ１５に出力する。
このとき、信号選択部７０は、直交変調器３−１から出力されたＴＸＯ信号（１）を選択し、ＴＸＯ信号（１）を直交復調器４に出力する。
これにより、受信ベースバンド部５のＲＸＩ信号処理部４３により計測されるＲＸＩ信号は、上記実施の形態１と同様に、式（１）で表される。
【０１４４】
次に、送信ベースバンド部２−１のＴＸ制御部５０は、例えば、送受信機のモードをモード（２）にして、ｂ端子から信号を出力する旨を示す指令をＴＸＩＳＷ１４，ＴＸＱＳＷ１５に出力する。
このとき、信号選択部７０は、直交変調器３−１から出力されたＴＸＯ信号（１）を選択し、ＴＸＯ信号（１）を直交復調器４に出力する。
これにより、受信ベースバンド部５のＲＸＩ信号処理部４３により計測されるＲＸＩ信号は、上記実施の形態１と同様に、式（３）で表される。
【０１４５】
また、送信ベースバンド部２−２のＴＸ制御部５０は、例えば、送受信機のモードをモード（１）にして、ａ端子から信号を出力する旨を示す指令をＴＸＩＳＷ１４，ＴＸＱＳＷ１５に出力する。
このとき、信号選択部７０は、直交変調器３−２から出力されたＴＸＯ信号（２）を選択し、ＴＸＯ信号（２）を直交復調器４に出力する。
これにより、受信ベースバンド部５のＲＸＩ信号処理部４３により計測されるＲＸＩ信号は、以下の式（３０）のように表される。
ＲＸＩ
＝０．５Ａ（Ｇ５×Ｇ３）ｃｏｓ（θ＋（θ５＋θ３））      （３０）
【０１４６】
次に、送信ベースバンド部２−２のＴＸ制御部５０は、例えば、送受信機のモードをモード（２）にして、ｂ端子から信号を出力する旨を示す指令をＴＸＩＳＷ１４，ＴＸＱＳＷ１５に出力する。
このとき、信号選択部７０は、直交変調器３−２から出力されたＴＸＯ信号（２）を選択し、ＴＸＯ信号（２）を直交復調器４に出力する。
これにより、受信ベースバンド部５のＲＸＩ信号処理部４３により計測されるＲＸＩ信号は、以下の式（３１）のように表される。
ＲＸＩ
＝０．５Ａ（Ｇ６×Ｇ３）ｃｏｓ（θ＋（θ６＋θ３））      （３１）
【０１４７】
送信ベースバンド部２−１のＴＸ制御部５０は、モード（１）でＲＸＩ信号処理部４３により計測された式（１）が示すＲＸＩ信号と、モード（２）でＲＸＩ信号処理部４３により計測された式（３）が示すＲＸＩ信号とから、直交変調器３−１における信号経路２１の通過損失Ｇ１と信号経路２２の通過損失Ｇ２との比である振幅比（Ｇ１／Ｇ２）を導出する。
振幅比（Ｇ１／Ｇ２）は、上記の式（５）に示すように、式（１）が示すＲＸＩ信号の振幅である０．５Ａ（Ｇ１×Ｇ３）を式（３）が示すＲＸＩ信号の振幅である０．５Ａ（Ｇ２×Ｇ３）で除算することで、導出することができる。
【０１４８】
送信ベースバンド部２−１のＴＸ制御部５０は、モード（１）でＲＸＩ信号処理部４３により計測された式（１）が示すＲＸＩ信号と、モード（２）でＲＸＩ信号処理部４３により計測された式（３）が示すＲＸＩ信号とから、直交変調器３−１における信号経路２１の通過位相θ１と信号経路２２の通過位相θ２との差である位相差（θ１−θ２）を導出する。
位相差（θ１−θ２）は、上記の式（６）に示すように、式（１）が示すＲＸＩ信号の位相であるθ＋（θ１＋θ３）から、式（３）が示すＲＸＩ信号の位相であるθ＋（θ２＋θ３）を減算することで、導出することができる。
【０１４９】
また、送信ベースバンド部２−２のＴＸ制御部５０は、モード（１）でＲＸＩ信号処理部４３により計測された式（３０）が示すＲＸＩ信号と、モード（２）でＲＸＩ信号処理部４３により計測された式（３１）が示すＲＸＩ信号とから、直交変調器３−２における信号経路２１の通過損失Ｇ５と信号経路２２の通過損失Ｇ６との比である振幅比（Ｇ５／Ｇ６）を導出する。
振幅比（Ｇ５／Ｇ６）は、以下の式（３２）に示すように、式（３０）が示すＲＸＩ信号の振幅である０．５Ａ（Ｇ５×Ｇ３）を式（３１）が示すＲＸＩ信号の振幅である０．５Ａ（Ｇ６×Ｇ３）で除算することで、導出することができる。
Ｇ５／Ｇ６
＝（０．５Ａ（Ｇ５×Ｇ３））／（０．５Ａ（Ｇ６×Ｇ３））  （３２）
【０１５０】
送信ベースバンド部２−２のＴＸ制御部５０は、モード（１）でＲＸＩ信号処理部４３により計測された式（３０）が示すＲＸＩ信号と、モード（２）でＲＸＩ信号処理部４３により計測された式（３１）が示すＲＸＩ信号とから、直交変調器３−２における信号経路２１の通過位相θ５と信号経路２２の通過位相θ６との差である位相差（θ５−θ６）を導出する。
位相差（θ５−θ６）は、以下の式（３３）に示すように、式（３０）が示すＲＸＩ信号の位相であるθ＋（θ５＋θ３）から、式（３１）が示すＲＸＩ信号の位相であるθ＋（θ６＋θ３）を減算することで、導出することができる。
θ１−θ２
＝（θ＋（θ５＋θ３））−（θ＋（θ６＋θ３））      （３３）
【０１５１】
送信ベースバンド部２−１のＴＸ制御部５０は、振幅比（Ｇ１／Ｇ２）と位相差（θ１−θ２）を導出すると、信号選択部７０が直交変調器３−１から出力されたＴＸＯ信号（１）を選択している状況下で、振幅比（Ｇ１／Ｇ２）が１になり、かつ、位相差（θ１−θ２）が０になるように、送信ベースバンド部２−１におけるＴＸＩ信号生成部１１のイコライザ処理及びＴＸＱ信号生成部１２のイコライザ処理を制御する。
即ち、送信ベースバンド部２−１のＴＸ制御部５０は、振幅比（Ｇ１／Ｇ２）が１になり、かつ、位相差（θ１−θ２）が０になるように、送信ベースバンド部２−１のＴＸＩ信号生成部１１により生成されるＴＸＩ信号の振幅及び位相と、送信ベースバンド部２−１のＴＸＱ信号生成部１２により生成されるＴＸＱ信号の振幅及び位相とを制御する。
【０１５２】
送信ベースバンド部２−２のＴＸ制御部５０は、振幅比（Ｇ５／Ｇ６）と位相差（θ５−θ６）を導出すると、信号選択部７０が直交変調器３−２から出力されたＴＸＯ信号（２）を選択している状況下で、振幅比（Ｇ５／Ｇ６）が１になり、かつ、位相差（θ５−θ６）が０になるように、送信ベースバンド部２−２におけるＴＸＩ信号生成部１１のイコライザ処理及びＴＸＱ信号生成部１２のイコライザ処理を制御する。
即ち、送信ベースバンド部２−２のＴＸ制御部５０は、振幅比（Ｇ５／Ｇ６）が１になり、かつ、位相差（θ５−θ６）が０になるように、送信ベースバンド部２−２のＴＸＩ信号生成部１１により生成されるＴＸＩ信号の振幅及び位相と、送信ベースバンド部２−２のＴＸＱ信号生成部１２により生成されるＴＸＱ信号の振幅及び位相とを制御する。
【０１５３】
これにより、アナログ回路であるローカル信号生成部１が、直交変調器３−１，３−２と直交復調器４で共通に使用される場合でも、直交変調器３−１，３−２における信号経路２１が持つ周波数特性と、直交変調器３−１，３−２における信号経路２２が持つ周波数特性との差分を補償することができる。
直交変調器３−１，３−２における信号経路２１が持つ周波数特性と、直交変調器３−１，３−２における信号経路２２が持つ周波数特性との差分が補償されることで、ＴＸＯ信号（１），ＴＸＯ信号（２）におけるイメージ成分の発生を抑えることができる。
【０１５４】
実施の形態５．
この実施の形態５では、図１〜図５の直交変調器３，３−１，３−２における９０度位相差生成部２３の内部構成について説明する。
【０１５５】
図６はこの発明の実施の形態５による送受信機の９０度位相差生成部２３を示す構成図である。
図６において、４相信号生成回路８１はローカル信号生成部１により生成されたローカル信号の位相と同位相の第１信号と、ローカル信号の位相よりも位相が９０度進んでいる第２信号と、ローカル信号の位相よりも位相が１８０度進んでいる第３信号と、ローカル信号の位相よりも位相が２７０度進んでいる第４信号とを生成する。
４相信号生成回路８１は第２信号及び第４信号を第１の信号出力回路８２に出力し、第１信号及び第３信号を第２の信号出力回路８３に出力する。
【０１５６】
第１の信号出力回路８２は４相信号生成回路８１から出力された第２信号又は第４信号を第１の送信ローカル信号として周波数変換器２４に出力する。
第２の信号出力回路８３は４相信号生成回路８１から出力された第１信号又は第３信号を第２の送信ローカル信号として周波数変換器２５に出力する。
第１の信号出力回路８２及び第２の信号出力回路８３の出力信号の制御は、例えば、ＴＸ制御部５０から出力される制御信号に基づいて行われる。
【０１５７】
次に動作について説明する。
９０度位相差生成部２３の４相信号生成回路８１は、ローカル信号生成部１により生成されたローカル信号の位相と同位相の第１信号と、ローカル信号の位相よりも位相が９０度進んでいる第２信号と、ローカル信号の位相よりも位相が１８０度進んでいる第３信号と、ローカル信号の位相よりも位相が２７０度進んでいる第４信号とを生成する。
４相信号生成回路８１は、第１信号と、第２信号と、第３信号と、第４信号とを生成すると、第２信号及び第４信号を第１の信号出力回路８２に出力し、第１信号及び第３信号を第２の信号出力回路８３に出力する。
【０１５８】
第１の信号出力回路８２は、例えば、送受信機のモードがモード（１）であるとき、ＴＸ制御部５０から第２信号を出力する旨を示す制御信号を受けると、第２信号を第１の送信ローカル信号として周波数変換器２４に出力する。
送受信機のモードがモード（１）である場合、９０度位相差生成部２３のｂ端子から出力される第２の送信ローカル信号は、ａ端子から出力される第１の送信ローカル信号よりも位相が９０度進んでいる信号である。
このため、第２の信号出力回路８３は、送受信機のモードがモード（１）であるとき、第１の信号出力回路８２から第２信号が周波数変換器２４に出力される状況下では、ＴＸ制御部５０からローカル信号よりも位相が１８０度進んでいる第３信号を出力する旨を示す制御信号を受ける。
第２の信号出力回路８３は、ＴＸ制御部５０から第３信号を出力する旨を示す制御信号を受けると、第３信号を第２の送信ローカル信号として周波数変換器２５に出力する。
【０１５９】
ここでは、第１の信号出力回路８２は、送受信機のモードがモード（１）であるとき、ＴＸ制御部５０から第２信号を出力する旨を示す制御信号を受ける例を示したが、送受信機のモードがモード（１）であるとき、ＴＸ制御部５０から第４信号を出力する旨を示す制御信号を受けることがある。
この場合、第１の信号出力回路８２は、第４信号を第１の送信ローカル信号として周波数変換器２４に出力する。
また、第２の信号出力回路８３は、第４信号よりも位相が９０度進んでいる第１信号を第２の送信ローカル信号として周波数変換器２５に出力する。
【０１６０】
第１の信号出力回路８２は、例えば、送受信機のモードがモード（２）であるとき、ＴＸ制御部５０から第２信号を出力する旨を示す制御信号を受けると、第２信号を第１の送信ローカル信号として周波数変換器２４に出力する。
送受信機のモードがモード（２）である場合、９０度位相差生成部２３のｂ端子から出力される第２の送信ローカル信号は、ａ端子から出力される第１の送信ローカル信号よりも位相が９０度遅れている信号である。
このため、第２の信号出力回路８３は、送受信機のモードがモード（２）であるとき、第１の信号出力回路８２から第２信号が周波数変換器２４に出力される状況下では、ＴＸ制御部５０からローカル信号の位相と同位相の第１信号を出力する旨を示す制御信号を受ける。
第２の信号出力回路８３は、ＴＸ制御部５０から第１信号を出力する旨を示す制御信号を受けると、第１信号を第２の送信ローカル信号として周波数変換器２５に出力する。
【０１６１】
ここでは、第１の信号出力回路８２は、送受信機のモードがモード（２）であるとき、ＴＸ制御部５０から第２信号を出力する旨を示す制御信号を受ける例を示したが、送受信機のモードがモード（２）であるとき、ＴＸ制御部５０から第４信号を出力する旨を示す制御信号を受けることがある。
この場合、第１の信号出力回路８２は、第４信号を第１の送信ローカル信号として周波数変換器２４に出力する。
また、第２の信号出力回路８３は、第４信号よりも位相が９０度遅れている第３信号を第２の送信ローカル信号として周波数変換器２５に出力する。
【０１６２】
以上で明らかなように、この実施の形態５によれば、９０度位相差生成部２３が、４相信号生成回路８１、第１の信号出力回路８２及び第２の信号出力回路８３を備えているので、図１〜図５の直交変調器３，３−１，３−２の機能を実現することができる。
【０１６３】
この実施の形態５では、４相信号生成回路８１が、第２信号及び第４信号を第１の信号出力回路８２に出力し、第１信号及び第３信号を第２の信号出力回路８３に出力する例を示しているが、４相信号生成回路８１が、第１信号及び第３信号を第１の信号出力回路８２に出力し、第２信号及び第４信号を第２の信号出力回路８３に出力するものであってもよい。
この場合、第１の信号出力回路８２は、ＴＸ制御部５０の制御信号に従って第１信号又は第３信号を第１の送信ローカル信号として周波数変換器２４に出力する。
また、第２の信号出力回路８３は、ＴＸ制御部５０の制御信号に従って第２信号又は第４信号を第２の送信ローカル信号として周波数変換器２５に出力する。
【０１６４】
実施の形態６．
この実施の形態６では、図２の直交復調器４における９０度位相差生成部３７の内部構成について説明する。
【０１６５】
図７はこの発明の実施の形態６による送受信機の９０度位相差生成部３７を示す構成図である。
図７において、４相信号生成回路９１はローカル信号生成部１により生成されたローカル信号の位相と同位相の第１信号と、ローカル信号の位相よりも位相が９０度進んでいる第２信号と、ローカル信号の位相よりも位相が１８０度進んでいる第３信号と、ローカル信号の位相よりも位相が２７０度進んでいる第４信号とを生成する。
４相信号生成回路９１は第２信号及び第４信号を第３の信号出力回路９２に出力し、第１信号及び第３信号を第４の信号出力回路９３に出力する。
【０１６６】
第３の信号出力回路９２は４相信号生成回路９１から出力された第２信号又は第４信号を第１の受信ローカル信号として周波数変換器３３に出力する。
第４の信号出力回路９３は４相信号生成回路９１から出力された第１信号又は第３信号を第２の受信ローカル信号として周波数変換器３４に出力する。
第３の信号出力回路９２及び第４の信号出力回路９３の出力信号の制御は、例えば、ＴＸ制御部５１から出力される制御信号に基づいて行われる。
【０１６７】
次に動作について説明する。
９０度位相差生成部３７の４相信号生成回路９１は、ローカル信号生成部１により生成されたローカル信号の位相と同位相の第１信号と、ローカル信号の位相よりも位相が９０度進んでいる第２信号と、ローカル信号の位相よりも位相が１８０度進んでいる第３信号と、ローカル信号の位相よりも位相が２７０度進んでいる第４信号とを生成する。
４相信号生成回路９１は、第１信号と、第２信号と、第３信号と、第４信号とを生成すると、第２信号及び第４信号を第３の信号出力回路９２に出力し、第１信号及び第３信号を第４の信号出力回路９３に出力する。
【０１６８】
第３の信号出力回路９２は、例えば、送受信機のモードがモード（１１）（２１）であるとき、ＴＸ制御部５１から第２信号を出力する旨を示す制御信号を受けると、第２信号を第１の受信ローカル信号として周波数変換器３３に出力する。
送受信機のモードがモード（１１）（２１）である場合、９０度位相差生成部３７のｂ端子から出力される第２の受信ローカル信号は、ａ端子から出力される第１の受信ローカル信号よりも位相が９０度進んでいる信号である。
このため、第４の信号出力回路９３は、送受信機のモードがモード（１１）（２１）であるとき、第３の信号出力回路９２から第２信号が周波数変換器３３に出力される状況下では、ＴＸ制御部５１からローカル信号よりも位相が１８０度進んでいる第３信号を出力する旨を示す制御信号を受ける。
第４の信号出力回路９３は、ＴＸ制御部５１から第３信号を出力する旨を示す制御信号を受けると、第３信号を第２の受信ローカル信号として周波数変換器３４に出力する。
【０１６９】
ここでは、第３の信号出力回路９２は、送受信機のモードがモード（１１）（２１）であるとき、ＴＸ制御部５１から第２信号を出力する旨を示す制御信号を受ける例を示したが、送受信機のモードがモード（１１）（２１）であるとき、ＴＸ制御部５１から第４信号を出力する旨を示す制御信号を受けることがある。
この場合、第３の信号出力回路９２は、第４信号を第１の受信ローカル信号として周波数変換器３３に出力する。
また、第４の信号出力回路９３は、第４信号よりも位相が９０度進んでいる第１信号を第２の受信ローカル信号として周波数変換器３４に出力する。
【０１７０】
第３の信号出力回路９２は、例えば、送受信機のモードがモード（１２）（２２）であるとき、ＴＸ制御部５１から第２信号を出力する旨を示す制御信号を受けると、第２信号を第１の受信ローカル信号として周波数変換器３３に出力する。
送受信機のモードがモード（１２）（２２）である場合、９０度位相差生成部３７のｂ端子から出力される第２の受信ローカル信号は、ａ端子から出力される第１の受信ローカル信号よりも位相が９０度遅れている信号である。
このため、第４の信号出力回路９３は、送受信機のモードがモード（１２）（２２）であるとき、第３の信号出力回路９２から第２信号が周波数変換器３３に出力される状況下では、ＴＸ制御部５１からローカル信号の位相と同位相の第１信号を出力する旨を示す制御信号を受ける。
第４の信号出力回路９３は、ＴＸ制御部５１から第１信号を出力する旨を示す制御信号を受けると、第１信号を第２の受信ローカル信号として周波数変換器３４に出力する。
【０１７１】
ここでは、第３の信号出力回路９２は、送受信機のモードがモード（１２）（２２）であるとき、ＴＸ制御部５１から第２信号を出力する旨を示す制御信号を受ける例を示したが、送受信機のモードがモード（１２）（２２）であるとき、ＴＸ制御部５１から第４信号を出力する旨を示す制御信号を受けることがある。
この場合、第３の信号出力回路９２は、第４信号を第１の受信ローカル信号として周波数変換器３３に出力する。
また、第４の信号出力回路９３は、第４信号よりも位相が９０度遅れている第３信号を第２の受信ローカル信号として周波数変換器３４に出力する。
【０１７２】
以上で明らかなように、この実施の形態６によれば、９０度位相差生成部３７が、４相信号生成回路９１、第３の信号出力回路９２及び第４の信号出力回路９３を備えているので、図２の直交変調器３の機能を実現することができる。
【０１７３】
この実施の形態６では、４相信号生成回路９１が、第２信号及び第４信号を第３の信号出力回路９２に出力し、第１信号及び第３信号を第４の信号出力回路９３に出力する例を示しているが、４相信号生成回路９１が、第１信号及び第３信号を第３の信号出力回路９２に出力し、第２信号及び第４信号を第４の信号出力回路９３に出力するものであってもよい。
この場合、第３の信号出力回路９２は、ＴＸ制御部５１の制御信号に従って第１信号又は第３信号を第１の受信ローカル信号として周波数変換器３３に出力する。
また、第４の信号出力回路９３は、ＴＸ制御部５１の制御信号に従って第２信号又は第４信号を第２の受信ローカル信号として周波数変換器３４に出力する。
【０１７４】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１７５】
この発明は、高周波信号を送受信する送受信機に適している。
【符号の説明】
【０１７６】
１  ローカル信号生成部、２，２−１，２−２  送信ベースバンド部、３，３−１，３−２  直交変調器、４  直交復調器、５  受信ベースバンド部、１１  ＴＸＩ信号生成部、１２  ＴＸＱ信号生成部、１３  第１の信号入替器、１４  ＴＸＩＳＷ（第１の経路切替部）、１５  ＴＸＱＳＷ（第２の経路切替部）、１６  Ｄ／Ａ変換器（第１のデジタルアナログ変換部）、１７  Ｄ／Ａ変換器（第２のデジタルアナログ変換部）、２１  信号経路（第１の経路）、２２  信号経路（第２の経路）、２３  ９０度位相差生成部（第１の位相差生成部）、２４  周波数変換器（第１の周波数変換器）、２５  周波数変換器（第２の周波数変換器）、２６  信号合成部、３１  分岐部、３２  ９０度位相差生成部（第２の位相差生成部）、３３  周波数変換器（第３の周波数変換器）、３４  周波数変換器（第４の周波数変換器）、３５  信号経路（第３の経路）、３６  信号経路（第４の経路）、３７  ９０度位相差生成部（第２の位相差生成部）、４１  Ａ／Ｄ変換器（第１のアナログデジタル変換部）、４２  Ａ／Ｄ変換器（第２のアナログデジタル変換部）、４３  ＲＸＱ信号処理部（第１の信号計測部）、４４  ＲＸＱ信号処理部（第２の信号計測部）、４５  第２の信号入替器、４６  ＲＸＩＳＷ（第３の経路切替部）、４７  ＲＸＱＳＷ（第４の経路切替部）、５０，５１  ＴＸ制御部（制御部）、６１  遅延配線、６２  位相補正部、６３  移相器制御部、６４  移相器、７０  信号選択部、８１  ４相信号生成回路、８２  第１の信号出力回路、８３  第２の信号出力回路、９１  ４相信号生成回路、９２  第３の信号出力回路、９３  第４の信号出力回路。
【図１】
0006509460.tif 000002
【図２】
0006509460.tif 000003
【図３】
0006509460.tif 000004
【図４】
0006509460.tif 000005
【図５】
0006509460.tif 000006
【図６】
0006509460.tif 000007
【図７】
0006509460.tif 000008